(57)【特許請求の範囲】
【請求項１】
一端側に対物レンズが保持され、中央部に開口部が形成されたボビンを有する可動部と、
上記可動部を上記対物レンズの光軸と平行な方向及び上記対物レンズの光軸と直交する平面方向に移動可能に支持する複数の弾性支持部材と、
その平面が上記対物レンズの光軸と平行になるように配設される平板状の部材と、上記平板状の部材に支持される平板状のフォーカシングコイルと、上記平板状の部材に支持される平板状のトラッキングコイルと、上記フォーカシングコイルと上記トラッキングコイルと対向してこれらフォーカシングコイル及びトラッキングコイルと共働して上記可動部を上記対物レンズの光軸と平行な方向及び上記対物レンズの光軸と直交する平面方向に駆動する少なくとも一対の相対向して配置されるマグネットとを有する磁気回路部とを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置される対物レンズ駆動装置。
【請求項２】
一端側に対物レンズが保持され、中央部に開口部が形成されたボビンを有する可動部と、
上記可動部を上記対物レンズの光軸と平行な方向及び上記対物レンズの光軸と直交する平面方向に移動可能に支持する複数の弾性支持部材と、
その平面が上記対物レンズの光軸と平行になるように配設される平板状の部材と、上記平板状の部材に支持される平板状の複数のフォーカシングコイルと、上記平板状の部材に支持される平板状の複数のトラッキングコイルと、上記フォーカシングコイルと上記トラッキングコイルと対向してこれらフォーカシングコイル及びトラッキングコイルと共働して上記可動部を上記対物レンズの光軸と平行な方向及び上記対物レンズの光軸と直交する平面方向に駆動する少なくとも一対の相対向して配置されるマグネットとを有する磁気回路部とを備え、
上記一対のマグネットは、上記一対のマグネットの厚み方向の中央の面に対して磁束密度が対称に形成されるように配置され、
上記複数のフォーカシングコイルは、上記一対のマグネットの厚み方向の中央の面に対して略対称に配置され、
上記複数のトラッキングコイルは、上記一対のマグネットの厚み方向の中央の面に対して略対称に配置される対物レンズ駆動装置。
【請求項３】
上記磁気回路部を構成する平板状の部材と上記マグネットのいずれか一方を上記可動部に取付けるとともに、他方を上記ボビンの開口部内に配設してなる請求項１又は請求項２に記載の対物レンズ駆動装置。
【請求項４】
一端側に対物レンズが保持され、中央部に開口部が形成されたボビンと、
両端部分が上記ボビンの両側にそれぞれ突出され、且つその平面が上記対物レンズの光軸と平行となるように配設されてなる矩形状をなす平板状の部材と、
上記平板状の部材に上記ボビンの開口部内に臨ませられた状態で支持され、平板状のフォーカシングコイルと、
上記平板状の部材に上記ボビンの開口部内に臨ませられた状態で支持され、平板状のトラッキングコイルと、
一端側を平板状の部材の上記ボビンの両側から突出した部分に連結するとともに他端側を固定部に支持させ、上記ボビンを上記対物レンズの光軸と平行な方向及び上記対物レンズの光軸と直交する平面方向に移動可能に支持する複数の弾性支持部材と、
上記平板状の部材を挟んで配設される少なくとも一対の相対向するマグネットとを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置される対物レンズ駆動装置。
【請求項５】
一端側に対物レンズが保持され、中央部に開口部が形成されたボビンと、
両端部分が上記ボビンの両側にそれぞれ突出され、且つその平面が上記対物レンズの光軸と平行となるように配設されてなる矩形状をなす平板状の部材と、
上記平板状の部材に上記ボビンの開口部内に臨ませられた状態で支持され、平板状の複数のフォーカシングコイルと、
上記平板状の部材に上記ボビンの開口部内に臨ませられた状態で支持され、平板状の複数のトラッキングコイルと、
一端側を平板状の部材の上記ボビンの両側から突出した部分に連結するとともに他端側を固定部に支持させ、上記ボビンを上記対物レンズの光軸と平行な方向及び上記対物レンズの光軸と直交する平面方向に移動可能に支持する複数の弾性支持部材と、
上記平板状の部材を挟んで配設される少なくとも一対の相対向するマグネットとを備え、
上記一対のマグネットは、上記一対のマグネットの厚み方向の中央の面に対して磁束密度が対称に形成されるように配置され、
上記複数のフォーカシングコイルは、上記一対のマグネットの厚み方向の中央の面に対して略対称に配置され、
上記複数のトラッキングコイルは、上記一対のマグネットの厚み方向の中央の面に対して略対称に配置される対物レンズ駆動装置。
【請求項６】
相対向する一対の立上り部を有するヨークを備え、このヨークの立上り部に上記マグネットをそれぞれ取付けるとともに、上記一対の立上り部間に上記平板状の部材を介在させてなる請求項４又は請求項５に記載の対物レンズ駆動装置。
【請求項７】
一端側に対物レンズが保持され、中央部に開口部が形成されたボビンと、
その平面が上記対物レンズの光軸と平行となるように配設されてなる矩形状をなす平板状の部材と、
上記平板状の部材に支持される平板状のフォーカシングコイルと、
上記平板状の部材に支持される平板状のトラッキングコイルと、
一端側を上記ボビンに取付けられるとともに他端側を固定部に支持させ、上記ボビンを上記対物レンズの光軸と平行な方向及び上記対物レンズの光軸と直交する平面方向に移動可能に支持する複数の弾性支持部材と、
上記平板状の部材を挟んで上記ボビンの開口部内に臨むように配設された少なくとも一対の相対向するマグネットとを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置される対物レンズ駆動装置。
【請求項８】
一端側に対物レンズが保持され、中央部に開口部が形成されたボビンと、
その平面が上記対物レンズの光軸と平行となるように配設されてなる矩形状をなす平板状の部材と、
上記平板状の部材に支持される平板状の複数のフォーカシングコイルと、
上記平板状の部材に支持される平板状の複数のトラッキングコイルと、
一端側を上記ボビンに取付けられるとともに他端側を固定部に支持させ、上記ボビンを上記対物レンズの光軸と平行な方向及び上記対物レンズの光軸と直交する平面方向に移動可能に支持する複数の弾性支持部材と、
上記平板状の部材を挟んで上記ボビンの開口部内に臨むように配設された少なくとも一対の相対向するマグネットとを備え、
上記一対のマグネットは、上記一対のマグネットの厚み方向の中央の面に対して磁束密度が対称に形成されるように配置され、
上記複数のフォーカシングコイルは、上記一対のマグネットの厚み方向の中央の面に対して略対称に配置され、
上記複数のトラッキングコイルは、上記一対のマグネットの厚み方向の中央の面に対して略対称に配置される対物レンズ駆動装置。
【請求項９】
相対向する一対の立上り部を有するヨークを備え、上記ヨークは上記一対の立上り部間に上記平板状の部材を介在させて上記ボビンに配設されるとともに、上記立上り部に上記マグネットを取付けてなる請求項７記載又は請求項８に記載の対物レンズ駆動装置。
【請求項１０】
一端側に対物レンズが保持され、中央部に開口部が形成されたボビンを有する可動部と、
上記可動部を上記対物レンズの光軸と平行な方向及び上記対物レンズの光軸と直交する平面方向に移動可能に支持する複数の弾性支持部材と、
その平面が上記対物レンズの光軸と平行になるように配設される平板状の部材と、上記平板状の部材に支持される平板状のフォーカシングコイルと、上記平板状の部材に支持される平板状のトラッキングコイルと、上記フォーカシングコイルと上記トラッキングコイルと対向してこれらフォーカシングコイル及びトラッキングコイルと共働して上記可動部を上記対物レンズの光軸と平行な方向及び上記対物レンズの光軸と直交する平面方向に駆動する少なくとも一対の相対向して配置されるマグネットと、上記マグネットが取り付けられる相対向する立上り部を有し上記立上り部に上記平板状の部材が介在されるヨークとを有する磁気回路部とを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置され、
上記ヨークには、相対向する立上り部の対向する面に上記一対のマグネットをそれぞれ固着するとともに、相対向する立上り部にこれらマグネットの磁束密度が大となる略中央部に臨んで磁気抵抗部がそれぞれ設けられてなる対物レンズ駆動装置。
【請求項１１】
一端側に対物レンズが保持され、中央部に開口部が形成されたボビンを有する可動部と、
上記可動部を上記対物レンズの光軸と平行な方向及び上記対物レンズの光軸と直交する平面方向に移動可能に支持する複数の弾性支持部材と、
その平面が上記対物レンズの光軸と平行になるように配設される平板状の部材と、上記平板状の部材に支持される平板状の複数のフォーカシングコイルと、上記平板状の部材に支持される平板状の複数のトラッキングコイルと、上記フォーカシングコイルと上記トラッキングコイルと対向してこれらフォーカシングコイル及びトラッキングコイルと共働して上記可動部を上記対物レンズの光軸と平行な方向及び上記対物レンズの光軸と直交する平面方向に駆動する少なくとも一対の相対向して配置されるマグネットと、上記マグネットが取り付けられる相対向する立上り部を有し上記立上り部に上記平板状の部材が介在されるヨークとを有する磁気回路部とを備え、
上記一対のマグネットは、上記一対のマグネットの厚み方向の中央の面に対して磁束密度が対称に形成されるように配置され、
上記複数のフォーカシングコイルは、上記一対のマグネットの厚み方向の中央の面に対して略対称に配置され、
上記複数のトラッキングコイルは、上記一対のマグネットの厚み方向の中央の面に対して略対称に配置され、
上記ヨークには、相対向する立上り部の対向する面に上記一対のマグネットをそれぞれ固着するとともに、相対向する立上り部にこれらマグネットの磁束密度が大となる略中央部に臨んで磁気抵抗部がそれぞれ設けられてなる対物レンズ駆動装置。
【請求項１２】
上記磁気抵抗部は、上記マグネットの略中央部に対応して上記ヨークを貫通して設けられる穴によって構成される請求項１０又は請求項１１に記載の対物レンズ駆動装置。
【請求項１３】
上記穴は、上記対物レンズの光軸と直交する方向に延長された長穴に形成されてなる請求項１２に記載の対物レンズ駆動装置。
【請求項１４】
一対の平行ガイド部と各々係合するガイド支持部を両端側にそれぞれ設けたベースと、
一端側に対物レンズが取付けられたボビンと、このボビンの他端側に一端が取付けられ他端側を固定部に取付けられ、上記ボビンを上記対物レンズの光軸と平行な方向及び対物レンズの光軸と直交する方向に移動可能に支持する複数の弾性支持部材と、その平面が上記対物レンズの光軸と平行になるように配設される平板状の部材と、上記平板状の部材に支持される平板状のフォーカシングコイルと、上記平板状の部材に支持される平板状のトラッキングコイルと、上記フォーカシングコイル及びトラッキングコイルと共働して上記ボビンを上記対物レンズの光軸と平行な方向及び対物レンズの光軸と直交する方向に移動させる少なくとも一対の相対向するマグネットと、上記マグネットが取り付けられる相対向する立上り部を有し上記立上り部に上記平板状の部材が介在されるヨークとを有する磁気回路部とを備え上記ベース上に配設されてなる対物レンズ駆動装置と、
レーザ光源と、このレーザ光源から出射された光ビームの戻り光を受光する受光素子と、この受光素子から出射された光ビームと戻りビームを分離する分離素子とからなり、上記ベース上の位置に配設されてなる発光受光複合素子とを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置され、
上記ヨークには、相対向する立上り部の対向する面に上記一対のマグネットをそれぞれ固着するとともに、相対向する立上り部にこれらマグネットの磁束密度が大となる略中央部に臨んで磁気抵抗部がそれぞれ設けられてなる光ピックアップ装置。
【請求項１５】
上記発光受光複合素子は、レーザ光源と受光素子を共通の基板に配設して構成されてなるとともに、この基板が上記対物レンズ駆動装置の対物レンズの光軸と略平行になるように上記ベース上に配設されてなる請求項１４に記載の光ピックアップ装置。
【請求項１６】
一端側に対物レンズが保持され、中央部に開口部が形成されたボビンを有する可動部と、
上記可動部を上記対物レンズの光軸と平行な方向及び上記対物レンズの光軸と直交する平面方向に移動可能に支持する複数の弾性支持部材と、
その平面が上記対物レンズの光軸と平行になるように配設される平板状の部材と、上記平板状の部材に支持される平板状のフォーカシングコイルと、上記平板状の部材に支持される平板状のトラッキングコイルと、上記フォーカシングコイルと上記トラッキングコイルと対向してこれらフォーカシングコイル及びトラッキングコイルと共働して上記可動部を上記対物レンズの光軸と平行な方向及び上記対物レンズの光軸と直交する平面方向に駆動する少なくとも一対の相対向して配置されるマグネットとを有する磁気回路部とを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置される対物レンズ駆動装置を備える光ピックアップ装置。
【請求項１７】
一端側に対物レンズが保持され、中央部に開口部が形成されたボビンと、
両端部分が上記ボビンの両側にそれぞれ突出され、且つその平面が上記対物レンズの光軸と平行となるように配設されてなる矩形状をなす平板状の部材と、
上記平板状の部材に上記ボビンの開口部内に臨ませられた状態で支持され、平板状のフォーカシングコイルと、
上記平板状の部材に上記ボビンの開口部内に臨ませられた状態で支持され、平板状のトラッキングコイルと、
一端側を平板状の部材の上記ボビンの両側から突出した部分に連結するとともに他端側を固定部に支持させ、上記ボビンを上記対物レンズの光軸と平行な方向及び上記対物レンズの光軸と直交する平面方向に移動可能に支持する複数の弾性支持部材と、
上記平板状の部材を挟んで配設される少なくとも一対の相対向するマグネットとを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置される対物レンズ駆動装置を備える光ピックアップ装置。
【請求項１８】
一端側に対物レンズが保持され、中央部に開口部が形成されたボビンと、
その平面が上記対物レンズの光軸と平行となるように配設されてなる矩形状をなす平板状の部材と、
上記平板状の部材に支持される平板状のフォーカシングコイルと、
上記平板状の部材に支持される平板状のトラッキングコイルと、
一端側を上記ボビンに取付けられるとともに他端側を固定部に支持させ、上記ボビンを上記対物レンズの光軸と平行な方向及び上記対物レンズの光軸と直交する平面方向に移動可能に支持する複数の弾性支持部材と、
上記平板状の部材を挟んで上記ボビンの開口部内に臨むように配設された少なくとも一対の相対向するマグネットとを備え、
上記一対のマグネットは、上記一対のマグネットの厚み方向の中央の面に対して磁束密度が対称に形成されるように配置され、
上記フォーカシングコイルと上記トラッキングコイルとは、上記一対のマグネットの厚み方向の中央の面に対して略対称に配置される対物レンズ駆動装置を備える光ピックアップ装置。
【発明の詳細な説明】
【０００１】
【産業上の利用分野】
本発明は、光ディスクプレーヤ等の光ディスク記録及び／又は再生装置に用いられる対物レンズ駆動装置及びこの対物レンズ駆動装置を用いた光ピックアップ装置に関する。
【０００２】
【従来の技術】
従来、光ディスクを記録媒体に用いる光ディスクプレーヤ等の光ディスク記録及び／又は再生装置には、半導体レーザ等の光源から出射された光ビームを集光して光ディスクに照射させる対物レンズを、この対物レンズの光軸と平行な方向及び対物レンズの光軸と直交する平面方向に駆動変位させる対物レンズ駆動装置が用いられている。
【０００３】
この対物レンズ駆動装置は、フォーカシングエラー信号及びトラッキングエラー信号に応じて対物レンズをこの対物レンズの光軸と平行な方向及び対物レンズの光軸と直交する平面方向に駆動変位させることにより、ディスク回転駆動装置により回転操作される光ディスクの信号記録面に対物レンズを介して照射される光ビームを上記光ディスクの信号記録面に合焦させ、さらに光ビームが光ディスクに形成された記録トラックに追従するようになすものである。
【０００４】
ところで、従来用いられている対物レンズ駆動装置として、図５９及び図６０に示すように構成されたものが広く用いられている。
【０００５】
この対物レンズ駆動装置は、一端側に対物レンズ１を取付けたボビン２を有し、このボビン２をワイヤの如き線状をなす４本の弾性支持部材３を用いて、磁気回路部４を構成するヨーク５上に取付けられる固定支持部材６に片持ち支持してなる。
【０００６】
そして、対物レンズ１が取付けられたボビン２には、中央部に上記対物レンズ１の光軸方向に貫通する開口部７が形成されている。この開口部７内には、略方形をなす筒状に形成されたフォーカシングコイル８が配設されている。このフォーカシングコイル８の外周側の一側面には、平板な矩形状に形成された一対のコイル９ｂ，９ｃからなるトラッキングコイル９が並列して接合されている。
【０００７】
また、上記ボビン２の相対向する各側面には、フォーカシングコイル８及びトラッキングコイル９からそれぞれ引き出されたコイル端末８ａ，９ａが電気的に接続される中継用のプリント配線基板１０が取付けられている。このプリント配線基板１０上には、このプリント配線基板１０に形成された接続パターン１０ａに、給電線として機能する導電性材料により形成された弾性支持部材３の一端部３ａ側が半田等の導電性接着剤を用いて電気的及び機械的に接続されている。
【０００８】
そして、各一端部３ａによりボビン２を支持した弾性支持部材３は、ボビン２の両側にそれぞれ一対ずつ平行に配設され、他端部３ｂ側をヨーク５上に取付けた固定支持部材６の各コーナ部に穿設した貫通孔１１に挿通されて上記固定支持部材６に固定支持させてなる。これら弾性支持部材３の上記貫通孔１１から突出された弾性支持部材３の他端部３ｂは、対物レンズ１を駆動変位させる駆動制御回路部に電気的に接続される接続端となる。
【０００９】
このように相対向する両側を２本ずつの弾性支持部材３を介して固定支持部材６に片持ち支持されたボビン２に取付けられた対物レンズ１は、上記弾性支持部材３を変位部として図５９中矢印Ｆ方向の光軸と平行な方向及び図５９中矢印Ｔ方向の対物レンズ１の光軸と直交する平面方向に移動可能となる。
【００１０】
また、固定支持部材６が取付けられるヨーク５には、相対向して一対の立上り片１２，１３が形成されている。そして、一方の立上り片１２の他方の立上り片１３と対向する面には、磁気回路部４を構成するマグネット１４が接合配設されている。
【００１１】
そして、複数の弾性支持部材３を介してボビン２を支持した固定支持部材６が、ヨーク５の他端側の上面に取付けられることにより、対物レンズ駆動装置を構成してなる。このとき、フォーカシングコイル８及びトラッキングコイル９を挟んで一対の立上り片１２，１３が、図５９に示すように、ボビン２の開口部７内に挿入される。そして、フォーカシングコイル８及びトラッキングコイル９は、マグネット１４から他方の立上り片１３に向かう磁束に鎖交する位置に配置されることになる。
【００１２】
上述のように構成された対物レンズ駆動装置は、駆動制御回路部からフォーカスエラー信号に基づく制御電流が導電性を有する弾性支持部材３を介してフォーカシングコイル８に供給されると、磁気回路部４の磁束と共働してボビン２を対物レンズ１の光軸と平行な方向に駆動変位させる駆動力が発生する。そして、ボビン２は、弾性支持部材３を弾性変位させながら対物レンズ１の光軸と平行な方向である図５９中矢印Ｆ方向のフォーカシング方向に駆動変位される。そして、ボビン２が駆動変位されることにより、このボビン２に取付けられた対物レンズ１も同方向に駆動変位してフォーカシング調整が行われる。
【００１３】
また、駆動制御回路部からトラッキングエラー信号に基づく制御電流が導電性を有する弾性支持部材３を介してトラッキングコイル９に供給されると、磁気回路部４の磁束と共働してボビン２を対物レンズ１の光軸と直交する平面方向に駆動変位させる駆動力が発生する。そして、ボビン２は、弾性支持部材３を弾性変位させながら対物レンズ１の光軸と直交する平面方向である図５９中矢印Ｔ方向のトラッキング方向に駆動変位される。そして、ボビン２が駆動変位されることにより、このボビン２に取付けられた対物レンズ１も同方向に駆動変位してトラッキング調整が行われる。
【００１４】
上述した対物レンズ駆動装置は、ボビン２の両側に中継用のプリント配線基板１０を配設し、このプリント配線基板１０にフォーカシングコイル８及びトラッキングコイル９のコイル端末８ａ，９ａを接続するとともに、上記プリント配線基板１０に一端部を接続した弾性支持部材３を接続し、この弾性支持部材３を介して制御電流をフォーカシングコイル８又はトラッキングコイル９に供給するように構成しているが、フレキシブルプリント基板１６を介してフォーカシングコイル８又はトラッキングコイル９に制御電流を供給するように構成したものも用いられている。
【００１５】
この対物レンズ駆動装置は、図６１に示すように、ボビン２の上端面に制御回路部に接続されるフレキシブルプリント基板１６の一端部を接合し、このフレキシブルプリント基板１６の一端部に形成した接続パターン１６ａにフォーカシングコイル８又はトラッキングコイル９の各コイル端末８ａ，９ａを接続したものである。このフレキシブルプリント基板１６を用いることにより、弾性支持部材３を導電性材料で形成する必要がなくなり、所望する弾性特性等の特性を有する材料で形成することが可能となる。
【００１６】
また、フレキシブルプリント基板１６を用いた場合には、ボビン２に中継用のプリント配線基板１０を設ける必要がないので、弾性支持部材３の一端部３ａ側は、図６１に示すようにボビン２の両側に形成された嵌合支持部１７を介して直接ボビン２に取付けられる。
【００１７】
【発明が解決しようとする課題】
ところで、上述した対物レンズ駆動装置に用いられるフォーカシングコイル８及びトラッキングコイル９は、いずれも線材を巻回して形成されてなるものである。そして、フォーカシングコイル８は、図６０に示すように、１本の線材を方形の筒状をなすように巻回され、上下の各端部から接続用のコイル端末８ａを引き出すように形成されてなる。また、トラッキングコイル９は、図６０に示すように、２つの矩形状をなすコイル部９ｂ，９ｃが並列して構成されるように１本の線材を巻回し、各コイル部９ｂ，９ｃの一側から接続用のコイル端末９ａを引き出すように形成されてなる。そして、トラッキングコイル９は、図６０に示すように、筒状に形成されたフォーカシングコイル８の一側面上に接合されてこのフォーカシングコイル８と一体化される。このトラッキングコイル９が取付けられたフォーカシングコイル８は、図５９に示すように、トラッキングコイル９が接合された一側面と対向する他側面を開口部７の内壁に接合することによってボビン２に直接取付けられてなる。
【００１８】
そして、フォーカシングコイル８及びトラッキングコイル９から引き出された各各コイル端末８ａ，９ａを、中継用のプリント配線基板１０又はフレキシブルプリント基板１６に半田等の導電性接着剤を用いて電気的に接続するようにしている。そのため、対物レンズ駆動装置の組立て途中でコイル端末８ａ，９ａの結線作業が必要であり、組立て効率が悪くなってしまっている。
【００１９】
また、コイル端末８ａ，９ａを結線する際、コイル端末８ａ，９ａがボビン２上で弛まないようにする必要がある。すなわち、コイル端末８ａ，９ａに弛みがあると、対物レンズ１が駆動変位されるときにコイル端末８ａ，９ａが不用意に大きく振動したり移動するなどして、制御電流に応じて対物レンズ１を正確に駆動させることができなくなる虞れがある。
【００２０】
また、対物レンズ駆動装置にあっては、フォーカシングコイル８及びトラッキングコイル９に供給される駆動電流に応答性良く、且つ安定して対物レンズ１を光軸方向及び光軸方向に直交する平面方向に駆動変位させるためには、可動部としての対物レンズ１を取付けたボビン２の重心Ｐと、このボビン２を駆動変位させる駆動力を発生させる駆動力の発生中心が正確に一致される必要がある。
【００２１】
ここで、上述した対物レンズ駆動装置において、対物レンズ１をこの対物レンズ１の光軸と平行な方向に駆動変位させるフォーカシング方向の駆動力は、図５９及び図６３に示すように、一対の立上り片１２，１３間に挿入されたフォーカシングコイル８の一側面部を構成する対物レンズ１の光軸と直交する方向を巻回方向としたコイル部８ｂに流れる制御電流と、マグネット１４から放射され一方の立上り片１２から他方の立上り片１３に向かってマグネット１４から放射され上記コイル部８ｂと鎖交する磁束とにより発生する。また、対物レンズ１をこの対物レンズ１の光軸方向と直交する平面方向に駆動変位されるトラッキング方向の駆動力は、図５９及び図６２に示すように、一対の立上り片１２，１３間に挿入されたフォーカシングコイル８の一側面上に取付けられたトラッキングコイル９を構成する一対の矩形状のコイル部９ｂ，９ｃの一対の立上り片１２，１３間に挿入され対物レンズ１の光軸と平行な直線部１９ａ，１９ｂに流れる制御電流と、マグネット１４から放射され一方の立上り片１２から他方の立上り片１３に向かってマグネット１４から放射され上記直線部１９ａ，１９ｂと鎖交する磁束とにより発生する。
【００２２】
なお、トラッキングコイル９を構成する一対のコイル部９ｂ，９ｃは、一対の立上り片１２，１３間に挿入される直線部１９ａ，１９ｂの同方向に電流が流れるように接続されている。
【００２３】
そして、対物レンズ１を光軸方向と平行な方向の駆動力を正確に発生させるためには、フォーカシングコイル８の一対の立上り片１２，１３間に挿入されるコイル部８ｂをこれら立上り片１２，１３間の構成される磁気ギャップの中心である図６２中ＹーＹ’線上に一致させ、上記コイル部８ｂを流れる制御電流と一対の立上り片１２，１３間に放射される鎖交磁束が高精度に直交するようになす。また、対物レンズ１を光軸方向と直交する平面方向の駆動力を正確に発生させるためには、トラッキングコイル９を構成する一対の矩形状のコイル部９ｂ，９ｃの直線部１９ａ，１９ｂ間の中心を一対の立上り片１２，１３の幅方向の中心である図６２中ＸーＸ’線上に一致させ、上記直線部１９ａ，１９ｂを流れる制御電流と一対の立上り片１２，１３間に放射される鎖交磁束が高精度に直交するようになす。さらにまた、対物レンズ１を光軸方向と平行な方向及び対物レンズ１を光軸方向と直交する平面方向のそれぞれに対し均等に駆動力を発生させるためには、フォーカシングコイル８のコイル部８ｂ及びトラッキングコイル９の直線部１９ａ，１９ｂの高さ方向である対物レンズ１の光軸と平行な方向の図６３中ＺーＺ’線上の中心をマグネット１４の高さ方向に中心に一致させる。
【００２４】
上述のようにフォーカシングコイル８及びトラッキングコイル９を磁気回路部４に対し配置することにより、これらフォーカシングコイル８及びトラッキングコイル９に供給される制御電流とマグネット１４から放射される磁束とにより発生する対物レンズ１を光軸方向と平行な方向及びこの光軸方向に直交する平面方向に駆動変位させる駆動力の発生中心は、図６２中のＹーＹ’線、図６２中のＸーＸ’線及び図６３中のＺーＺ’線の交点に位置する。
【００２５】
そして、対物レンズ１を取付けた可動部としてのボビン２の重心Ｐを図６２中のＹーＹ’線、図６２中のＸーＸ’線及び図６３中のＺーＺ’線の交点に一致させることにより、ボビン２は対物レンズ１の光軸と平行な駆動力及び対物レンズ１の光軸と直交する平面方向の駆動力に対し捩じれ等の変位力を発生させることなく応答性良く対物レンズ１の光軸と平行な方向及び対物レンズ１の光軸と直交する平面方向に駆動変位される。ボビン２が捩じれ等の変位力を発生させることなく応答性良く駆動変位されることから、このボビン２に取付けられた対物レンズ１も、フォーカシングコイル８及びトラッキングコイル９に供給される制御電流に応じて上記対物レンズ１の光軸と平行な方向及び対物レンズ１の光軸と直交する平面方向に正確に駆動変位される。
【００２６】
なお、対物レンズ１は、光軸を図６２中ＸーＸ’線上に位置させるとともに、図６３中ＺーＺ’線と平行となすようにしてボビン２に取付けられる。
【００２７】
ところで、従来の対物レンズ駆動装置に用いられるフォーカシングコイル８及びトラッキングコイル９は、上述したように１本の線材を筒状若しくは矩形状に巻回して形成された立体的な構造を有してなる。そのため、対物レンズ駆動装置に用いられる各フォーカシングコイル８及びトラッキングコイル９を全て統一した一定の大きさに形成することが極めて困難である。このような大きさにバラツキのあるフォーカシングコイル８及びトラッキングコイル９をボビン２に取付けると、対物レンズ１を含むボビン２の重心Ｐを一定にすることができなくなる。特に、ボビン２に取付けたとき、このボビン２の重心Ｐから離間した位置部分でフォーカシングコイル８及びトラッキングコイル９に形状や寸法のバラツキがあると、対物レンズ１を含むボビン２の重心Ｐの位置に大きな影響を与える。
【００２８】
また、一側面にトラッキングコイル９を取付けたフォーカシングコイル８は、は、ボビン２の開口部７内に接着剤等を用いて直接接合されて取付けるようにしているので、ボビン２への組付け作業が困難であるばかりか、ボビン２に対する取付け位置精度を正確に出すことが極めて困難である。そのため、対物レンズ駆動装置毎に対物レンズ１を含むボビン２の重心Ｐの位置が異なってしまい、この重心Ｐを高精度に設定することが難しい。
【００２９】
さらに、ボビン２は合成樹脂の成形体により形成され、フォーカシングコイル８及びトラッキングコイル９は銅線により形成される。そして、ボビン２を構成する合成樹脂の比重は約１．５程度であるのに対し、フォーカシングコイル８及びトラッキングコイル９を構成する銅線の比重は８．９である。そのため、フォーカシングコイル８及びトラッキングコイル９に形状や寸法のバラツキが生じ、さらにボビン２に対する取付け位置精度にバラツキがあると、対物レンズ駆動装置毎に対物レンズ１を含む可動部としてのボビン２の重心Ｐの位置を正確に設定できなくなってしまう。
【００３０】
上述のように可動部の重心Ｐの位置が各対物レンズ駆動装置毎に一定しないと、フォーカシングコイル８及びトラッキングコイル９と磁気回路部４の共働作用で生ずる駆動力の発生中心と可動部の重心Ｐが一致しなくなり、捩じれ等の変位力を発生させることなく制御電流に対し応答性良く対物レンズ１をその光軸と平行な方向及びこの光軸と直交する平面方向に駆動変位させることができなくなる。そして、対物レンズ１を介して光ディスクの信号記録面に照射される光ビームのフォーカシング及びトラッキング制御が精度良く行えなくなり、良好な記録及び／又は再生特性をもって情報信号の記録及び／又は再生が行えなくなってしまう。
【００３１】
また、上述した対物レンズ駆動装置は、図５９及び図６４に示すように、ヨーク５を構成する一対の立上り片１２，１３間に略方形の筒状に巻回されたフォーカシングコイル８の一側部側のコイル部８ｂを挿入させた構成としている。そのため、フォーカシングコイル８は、一対の立上り片１２，１３に挿入された一側部側のコイル部８ｂと対向する他側部側のコイル部８ｃもマグネット１４を取付けた一方の立上り片１２に対向する。このフォーカシングコイル８に制御電流が供給されると、一対の立上り片１２，１３間にマグネット１４から放射される有効磁束Ｂｇと鎖交する一側部側のコイル部８ｂとの共働作用により生ずる駆動力ｆ1 の他に、図６６に示すように、一方の立上り片１２の背面側に向かってマグネット１４から放射される漏れ磁束Ｂｇ’と鎖交する他側部側のコイル部８ｂとの共働作用により生ずる駆動力ｆ2 も発生する。この漏れ磁束Ｂｇ’と鎖交する他側部側のコイル部８ｂとの共働作用により生ずる駆動力ｆ2 は、有効磁束Ｂｇと鎖交する一側部側のコイル部８ｂとの共働作用により生ずる駆動力ｆ1 とは逆向きの力であり、対物レンズ１を光軸方向に駆動させる駆動力を打ち消すように作用し、対物レンズ１を光軸方向に駆動させる駆動力を有効に利用すことができなくなる。
【００３２】
そこで、従来の対物レンズ駆動装置では、漏れ磁束の影響をなくすようになすため、この漏れ磁束をシールドするためのシールド板等のシールド手段を設け、あるいはフォーカシングコイル８を大型化している。このようにシールド手段を設けたり、フォーカシングコイル８を大型化すると、対物レンズ駆動装置自体が大型化してしまう。
【００３３】
また、従来の対物レンズ駆動装置に用いられるフォーカシングコイル８のうち、マグネット１４から放射される磁束と共働して対物レンズ１を光軸方向に駆動させる駆動力を発生させるために作用する部分は、一対の立上り片１２，１３間に挿入された一側部側のコイル部８ｂのマグネット１４に対向する図６５中斜線を施した部分のみである。また、トラッキングコイル９においても、マグネット１４から放射される磁束と共働して対物レンズ１を光軸と直交する平面方向に駆動させる駆動力を発生させるために作用する部分は、各コイル部９ｂ，９ｃのマグネット１４に対向する直線部１９ａ，１９ｂ中の図６６中斜線を施した部分のみである。すなわち、フォーカシングコイル８及びトラッキングコイル９中、対物レンズ１を駆動させる駆動力を発生させるために作用する部分は、全体の１／４程度であり利用効率が極めて悪い。このようにフォーカシングコイル８及びトラッキングコイル９の利用効率が悪いため、対物レンズ１を駆動変位させるに必要な駆動電流も多く必要となり、対物レンズ駆動装置からの発熱が大きくなってしまう。この発熱は、光ピックアップ装置を構成する光源としての半導体レーザの動作に悪影響を与えて、安定した光ビームの発振を阻害する虞れがある。
【００３４】
さらに、従来の対物レンズ駆動装置に用いられるフォーカシングコイル８は、筒状に巻回されてなるため、自己インダクタンスが大きくなりやすい。さらに、磁気回路部４を構成するヨーク５の立上り片１２が筒状のフォーカシングコイル８内に挿入される構成となされているので、上記立上り片１２が鉄心の作用をなし、フォーカシングコイル８の自己インダクタンスをさらに大きくしている。このようにフォーカシングコイル８の自己インダクタンスが大きくなると、フォーカスエラー信号に応じた駆動電流を駆動制御回路を介してフォーカシングコイル８に供給して対物レンズ１を駆動変位させるとき、フォーカスエラー信号の高い周波数領域で位相の回りが１８０度を越えて急速に回転し、フォーカスエラー信号に追随したフォーカス制御ができなくなる虞れがある。このようなフォーカス制御が不能になることを回避するため、フォーカスエラー信号を検出してフォーカスコイル８に制御電流を供給する制御回路側で電気的な位相補正を行うようにしている。この位相補正量が大きくなると、その補正量に比例してフォーカシングコイル８に供給される駆動電流の高調波分が増加し、消費電力を増加させる。消費電力が増加されると、発熱等により光ピックアップ装置を構成する半導体レーザの動作を不安定にする等の弊害を生ずる。
【００３５】
そこで、本発明は、フォーカシングコイルやトラッキングコイルのボビンへの取付けが容易で、且つ高精度に組立てを可能となし、安定した対物レンズの駆動変位を可能となす対物レンズ駆動装置を提供することを目的に提案されたものである。
【００３６】
また、本発明は、フォーカスエラー信号又はトラッキングエラーに信号に正確に追随して対物レンズの駆動変位を可能となす対物レンズ駆動装置を提供することを目的とする。
【００３７】
さらに、本発明は、対物レンズを駆動変位するための電力の省電力化を実現し、対物レンズ駆動時の発熱を抑え、対物レンズを介して光ディスクに照射される光ビームを出射する光源を構成する半導体レーザの安定した動作を保証し、良好な特性をもって情報信号の記録及び／又は再生を可能となす光ピックアップ装置を構成し得る対物レンズ駆動装置を提供することを目的とする。
【００３８】
さらにまた、本発明は、組立てが容易で安定した対物レンズの駆動変位を可能となす対物レンズ駆動装置を用いることにより、組立てが容易な光ピックアップ装置を提供することを目的とする。
【００３９】
さらにまた、本発明は、小型で、軽量であり、薄型化が図れる光ピックアップ装置を提供することを目的とする。
【００４０】
【課題を解決するための手段】
本発明に係る対物レンズ駆動装置は、上述したような目的を達成するため、一端側に対物レンズが保持され、中央部に開口部が形成されたボビンを有する可動部と、上記可動部を上記対物レンズの光軸と平行な方向及び上記対物レンズの光軸と直交する平面方向に移動可能に支持する複数の弾性支持部材と、その平面が上記対物レンズの光軸と平行になるように配設される平板状の部材と、上記平板状の部材に支持される平板状のフォーカシングコイルと、上記平板状の部材に支持される平板状のトラッキングコイルと、上記フォーカシングコイルと上記トラッキングコイルと対向してこれらフォーカシングコイル及びトラッキングコイルと共働して上記可動部を上記対物レンズの光軸と平行な方向及び上記対物レンズの光軸と直交する平面方向に駆動する少なくとも一対の相対向して配置されるマグネットとを有する磁気回路部とを備え、上記一対のマグネットは、上記一対のマグネットの厚み方向の中央の面に対して磁束密度が対称に形成されるように配置され、上記フォーカシングコイルと上記トラッキングコイルとは、上記一対のマグネットの厚み方向の中央の面に対して略対称に配置される。
また、本発明に係る対物レンズ駆動装置は、上述したような目的を達成するため、一端側に対物レンズが保持され、中央部に開口部が形成されたボビンを有する可動部と、上記可動部を上記対物レンズの光軸と平行な方向及び上記対物レンズの光軸と直交する平面方向に移動可能に支持する複数の弾性支持部材と、その平面が上記対物レンズの光軸と平行になるように配設される平板状の部材と、上記平板状の部材に支持される平板状の複数のフォーカシングコイルと、上記平板状の部材に支持される平板状の複数のトラッキングコイルと、上記フォーカシングコイルと上記トラッキングコイルと対向してこれらフォーカシングコイル及びトラッキングコイルと共働して上記可動部を上記対物レンズの光軸と平行な方向及び上記対物レンズの光軸と直交する平面方向に駆動する少なくとも一対の相対向して配置されるマグネットとを有する磁気回路部とを備え、上記一対のマグネットは、上記一対のマグネットの厚み方向の中央の面に対して磁束密度が対称に形成されるように配置され、上記複数のフォーカシングコイルは、上記一対のマグネットの厚み方向の中央の面に対して略対称に配置され、上記複数のトラッキングコイルは、上記一対のマグネットの厚み方向の中央の面に対して略対称に配置される。
【００４１】
また、本発明は、ヨークの相対向する立上り部の対向面に上記一対のマグネットをそれぞれ固着するとともに、相対向する立上り部にこれらマグネットの磁束密度が大となる略中央部に臨んで磁気抵抗部がそれぞれ設けられてなる。
【００４２】
さらに、本発明は、平板状のフォーカシングコイルとトラッキングコイルが設けられた磁気回路部を構成する平板状の部材が可動部側に取付けられたコイル可動型の対物レンズ駆動装置である。
【００４３】
さらにまた、本発明は、磁気回路部を構成するマグネットが可動部側に取付けられたマグネット可動型の対物レンズ駆動装置である。
【００４４】
さらにまた、本発明に係る対物レンズ駆動装置は、可動部を支持する移動可能に支持する弾性支持部材を導電性材料により形成し、上記可動部に取付けられた平板状の部材に配設されたフォーカシングコイル及びトラッキングコイルに給電を行うように構成されてなる。
【００４５】
さらにまた、本発明に係る光ピックアップ装置は、一対の平行ガイド部と各々係合するガイド支持部を両端側にそれぞれ設けたベースと、一端側に対物レンズが取付けられたボビンと、このボビンの他端側に一端が取付けられ他端側を固定部に取付けられ、上記ボビンを上記対物レンズの光軸と平行な方向及び対物レンズの光軸と直交する方向に移動可能に支持する複数の弾性支持部材と、その平面が上記対物レンズの光軸と平行になるように配設される平板状の部材と、上記平板状の部材に支持される平板状のフォーカシングコイルと、上記平板状の部材に支持される平板状のトラッキングコイルと、上記フォーカシングコイル及びトラッキングコイルと共働して上記ボビンを上記対物レンズの光軸と平行な方向及び対物レンズの光軸と直交する方向に移動させる少なくとも一対の相対向するマグネットと、上記マグネットが取り付けられる相対向する立上り部を有し上記立上り部に上記平板状の部材が介在されるヨークとを有する磁気回路部とを備え上記ベース上に配設されてなる対物レンズ駆動装置と、レーザ光源と、このレーザ光源から出射された光ビームの戻り光を受光する受光素子と、この受光素子から出射された光ビームと戻りビームを分離する分離素子とからなり、上記ベース上の位置に配設されてなる発光受光複合素子とを備え、上記一対のマグネットは、上記一対のマグネットの厚み方向の中央の面に対して磁束密度が対称に形成されるように配置され、上記フォーカシングコイルと上記トラッキングコイルとは、上記一対のマグネットの厚み方向の中央の面に対して略対称に配置され、上記ヨークには、相対向する立上り部の対向する面に上記一対のマグネットをそれぞれ固着するとともに、相対向する立上り部にこれらマグネットの磁束密度が大となる略中央部に臨んで磁気抵抗部がそれぞれ設けられてなる。
【００４６】
【作用】
本発明に係る対物レンズ駆動装置は、フォーカシングコイルにフォーカシングエラー信号に応じた駆動電流が供給されると、フォーカシングコイルと磁気回路部を構成するマグネットとの共働作用により可動部を対物レンズの光軸と平行な方向に駆動させる駆動力が発生し、対物レンズをその光軸と平行な方向に駆動変位させる。
【００４７】
また、トラッキングコイルにトラッキングエラー信号に応じた駆動電流が供給される、トラッキングコイルと磁気回路部を構成するマグネットとの共働作用により可動部を対物レンズの光軸と直交する平面方向に駆動させる駆動力が発生し、対物レンズをその光軸と直交する平面方向に駆動変位させる。
【００４８】
さらに、本発明に係る対物レンズ駆動装置は、フォーカシングコイルが発生する駆動力の作用点とトラッキングコイルが発生する駆動力の作用点とが、可動部の重心にそれぞれ一致して作用する。
【００４９】
さらにまた、本発明に係る対物レンズ駆動装置は、磁気回路部を構成するヨークに、マグネットの中央部に対応して磁気抵抗部がそれぞれ設けられることによって、マグネットの中央部の磁気抵抗が大きくされている。
【００５０】
さらにまた、平板状の部材が可動部側に取付けられることにより、上記平板状の部材に設けられたフォーカシングコイル及びトラッキングコイルは、可動部と一体に対物レンズの光軸と平行な方向及び光軸と直交する平面方向に可動変位する。
【００５１】
さらにまた、フォーカシングコイル及びトラッキングコイルを設けた平板状の部材を可動部側に取付け、可動部を支持する弾性支持部材を導電性材料ににより形成することにより、上記フォーカシングコイル及びトラッキングコイルに供給される駆動電源は、上記弾性支持部材を介して給電される。
【００５２】
さらにまた、本発明に係る光ピックアップ装置は、フォーカシングコイルが発生する駆動力の作用点とトラッキングコイルが発生する駆動力の作用点とが、可動部の重心にそれぞれ一致して作用する。
【００５３】
さらにまた、本発明に係る光ピックアップ装置は、磁気回路部を構成するヨークに、マグネットの中央部に対応して磁気抵抗部がそれぞれ設けられることによって、マグネットの中央部の磁気抵抗が大きくされている。
【００５４】
【実施例】
以下、本発明の具体的な実施例を図面を参照して説明する。
【００５５】
まず、本発明に係る対物レンズ駆動装置２０を説明する。この対物レンズ駆動装置２０は、図１に示すように、光源としての半導体レーザから出射された光ビームを集光して光ディスクの信号記録面に照射し、また光ディスクから反射された戻り光が入射される対物レンズ２１を一端側に保持し、この対物レンズ２１とともに可動部を構成するボビン２２を備えている。
【００５６】
この可動部を構成するボビン２２は、ポリスチレンの如き合成樹脂を成形して形成されてなるものであって、図１及び図２に示すように、中央部に方形をなす開口部２３を形成したボビン本体２４と、このボビン本体２４の一端側の上方縁側から側方に向かって突出するように設けられた対物レンズ取付け部２５とから構成されなる。そして、対物レンズ２１は、対物レンズ取付け部２５の中央部に設けた取付け凹部２６内に取付けられている。この取付け凹部２６の底面部には、対物レンズ２１に入射される半導体レーザから出射された光ビーム及び対物レンズ２１から透過される光ディスクからの戻り光を透過させるための光透過孔が穿設されている。
【００５７】
そして、ボビン本体２４の相対向する両側の略中央部には、開口部２３を横断するようにしてコイル取付け板挿入溝２７，２７が穿設されている。これらコイル取付け板挿入溝２７，２７は、図２に示すように、ボビン本体２４の上端面側から下端側に向かって対物レンズ取付け部２５に取付けられた対物レンズ２１の光軸と平行に穿設された凹状の溝として形成されている。
【００５８】
これらコイル取付け板挿入溝２７，２７を介して、ボビン２２には、矩形状をなす平板状の部材として形成されたコイル取付け板２８が取付けられる。このコイル取付け板２８は、ガラスエポキシ樹脂板や合成樹脂材料板の如き材料により形成されてなり、図１に示すように、コイル取付け板挿入溝２７，２７に挿入してボビン２２に取付けたとき、両端部２８ａ，２８ｂ側がボビン本体２４の両側にそれぞれ突出する大きさを有する長尺な方形状に形成されてなる。
【００５９】
上記コイル取付け板２８の一側面側には、図２及び図３に示すように、一対の平板な矩形状をなす一対のコイル部２９，３０からなるフォーカシングコイル３１が設けられ、他側面側には、図４に示すように、一対の平板な矩形状をなす一対のコイル部３２，３３からなるトラッキングコイル３４が設けられている。これらフォーカシングコイル３１及びトラッキングコイル３４を構成する各コイル部２９，３０及び各コイル部３２，３３は、ガラスエポキシ樹脂からなるコイル取付け板２８上に被着された銅箔をエッチングして矩形状のコイルパターンを形成して構成されてなる。このように銅箔をエッチングして形成されてなるコイル部２９，３０及び３２，３３からなるフォーカシングコイル３１及びトラッキングコイル３４は、平板なものとしてコイル取付け基板２８上に設けられてなる。
【００６０】
また、フォーカシングコイル３１及びトラッキングコイル３４を構成する各コイル部２９，３０及び各コイル部３２，３３は、平板な矩形状をなすものであればよく、コイル用線材を平板状をなす矩形状に巻回したものであってもよい。このコイル用線材を巻回して形成した各コイル部２９，３０及び各コイル部３２，３３は、接着剤を用いてコイル取付け板２８の一側面側及び他側面側にそれぞれ接合される。
【００６１】
上述のようにフォーカシングコイル３１及びトラッキングコイル３４を設けたコイル取付け板２８は、コイル取付け板挿入溝２７，２７間に亘って挿入され、フォーカシングコイル３１及びトラッキングコイル３４が設けられた平面がボビン２２に取付けられる対物レンズ２１の光軸と平行となるようにして、ボビン２２に位置決めされて一体的に取付けられる。このコイル取付け板２８のボビン２２への取付けは、コイル取付け板挿入溝２７，２７に接着剤を塗布することによって行われる。
【００６２】
また、コイル取付け板２８は、ボビン２２を成形する金型内に予め配設しておき、このボビン２２の成形と同時に取付けるようになすインサート成形により、ボビン２２に一体的に取付けられる。
【００６３】
なお、対物レンズ２１は、ボビン２２にコイル取付け板２８を取付けた後、対物レンズ取付け部２５に取付けられる。これは、コイル取付け板２８をボビン２２に取付ける際に対物レンズ２１の損傷を防止するようになすためである。
【００６４】
上述のようにコイル取付け板２８及び対物レンズ２１が取付けられたボビン２２は、複数の線状をなすワイヤーの如き弾性支持部材３５を介して、磁気回路部３６を構成するヨーク３７に形成されたホルダ取付け部３８に取付けられる支持ホルダ３９に片持ち支持される。このとき、ボビン２２は、相対向する両側を一対ずつの弾性支持部材３５により支持ホルダ３９に片持ち支持されることにより、上記弾性支持部材３５を弾性変位部として対物レンズ２１の光軸と平行な方向及び上記対物レンズ２１の光軸と直交する平面方向に移動可能となされる。
【００６５】
なお、ここで用いられる弾性支持部材３５は、細長い金属ワイヤ又は細い長尺な金属性の板バネ等の導電性を有する材料により形成されてなる。
【００６６】
ところで、４本の弾性支持部材３５によりボビン２２を支持するため、このボビン２２に一体的に取付けられたコイル取付け板２８のボビン本体２４の両側にそれぞれ突出した両端部２８ａ，２８ｂには、４本の弾性支持部材３５の一端側がそれぞれ挿通される４個の弾性支持部材挿通孔１９が穿設されている。すなわち、弾性支持部材挿通孔１９は、コイル取付け板２８の両端部２８ａ，２８ｂの各コーナ部近傍に位置して、一対ずつ互いに平行に穿設されている。また、弾性支持部材挿通孔１９が穿設された周囲には、フォーカシングコイル３１及びトラッキングコイル３４のコイル端部から延長された接続端子部４０が形成されている。
【００６７】
そして、各弾性支持部材３５の一端部３５ａ側は、弾性支持部材挿通孔１９にそれぞれ挿通され、この弾性支持部材挿通孔１９内から接続端子部４０上に塗布される半田４１によりコイル取付け基板２８に固定される。この半田４１により、導電性材料からなる弾性支持部材３５と接続端子部４０間の電気的な導通が図られて接続される。
【００６８】
なお、各弾性支持部材３５は、接続端子部４０に電気的な導通が図られてコイル取付け基板２８に固定されればよく、半田４１に代えて導電性を有する接着剤を用いてもよい。
【００６９】
上述のようにコイル取付け基板２８を介してボビン２２を一端側に支持した４本の弾性支持部材３５の他端部３５ｂ側は、支持ホルダ３９に固定支持される。この支持ホルダ３９の両端側には、嵌合穴４２，４２が設けられている。これら嵌合穴４２，４２内には、図１に示すように、粘弾性を有する材料により形成され、振動を減衰若しくは吸収させる作用を有するダンパー４３が配設されている。そして、各弾性支持部材３５の他端部３５ｂは、ダンパー４３に挿通されて支持ホルダ３９に固定支持されてなる。このように各弾性支持部材３３の他端部他端部３５ｂをダンパー４３を介して支持ホルダ３９に固定支持することにより、対物レンズ２１が駆動変位させられるときに弾性変位する各弾性支持部材３５の不要な振動を急峻に減衰させ、さらに共振の発生を抑えることができ、フォーカシングエラー信号及びトラッキングエラー信号に応答性良く対物レンズ２１の駆動変位を可能なすことができる。
【００７０】
また、ダンパー４３を介して支持ホルダ３９に固定支持された各弾性支持部材３５の他端部３５ｂは、上記支持ホルダ３９のボビン２２が配設される側と対向する背面側に取付けられる図示しない対物レンズ駆動制御回路に接続される可撓性を有するフレキシブルプリント配線基板４４に電気的に接続される。各弾性支持部材３３のフレキシブルプリント配線基板４４への接続は、このフレキシブルプリント配線基板４４に形成した接続パターン部に穿設した透孔に各弾性支持部材３５の他端部を挿通し、半田若しくは導電性接着剤を各弾性支持部材３５の他端部の周部から接続パターン部に亘って塗布することによって行われる。
【００７１】
ところで、各弾性支持部材３５の一端部３５ａ及び他端部３５ｂは、それぞれコイル取付け基板２８に穿設した弾性支持部材挿通孔１９及びフレキシブルプリント配線基板４４に穿設した透孔４４ａに挿通され、外周囲全周に亘って半田４１若しくは導電性接着剤が塗布されて支持されてなるので、コイル取付け基板２８及びフレキシブルプリント配線基板４４に対する電気的な接続及び機械的な結合の信頼性を向上させることができる。
【００７２】
また、各弾性支持部材３５の一端部３５ａ及び他端部３５ｂが挿通されるコイル取付け基板２８及びフレキシブルプリント配線基板４４に穿設される弾性支持部材挿通孔１９及び透孔４４ａは、弾性支持部材３５の外周囲に半田４１若しくは導電性接着剤を塗布したとき、弾性支持部材挿通孔１９及び透孔４４ａと弾性支持部材３５との間に半田４１若しくは導電性接着剤が進入しない程度の間隙が形成される大きさの円形に形成されてなる。そして、各弾性支持部材３５の一端部３５ａ及び他端部３５ｂのそれぞれを、コイル取付け基板２８に穿設した弾性支持部材挿通孔１９及びフレキシブルプリント配線基板４４に穿設した透孔４４ａに挿通した状態で、半田４１若しくは導電性接着剤を各弾性支持部材３５の一端部３５ａ及び他端部３５ｂが突出側の面の周囲に塗布する。このように半田４１若しくは導電性接着剤を塗布して各弾性支持部材３５の一端部３５ａ及び他端部３５ｂを支持部材としてのコイル取付け基板２８及びフレキシブルプリント配線基板４４に固定支持することにより、各弾性部３５の長さＬ1 を正確に規定するこができる。すなわち、弾性変位する各弾性支持部材３５の長さＬ1 が、コイル取付け基板２８及びフレキシブルプリント配線基板４４の外側の面を基準として正確に設定することが可能となるためである。
【００７３】
そして、複数の弾性支持部材３５を介してボビン２２を支持した支持ホルダ３９が取付けられるホルダ取付け部３８を有する磁気回路部３６を構成するヨーク３７は、図２に示すように、略中央部に一対の立上り片４５，４６が立上り形成されている。これら立上り片４５，４６の相対向する面には、コイル取付け基板２６に設けられたフォーカシングコイル３１及びトラッキングコイル３４と共働して対物レンズ２１をこの対物レンズ２１の光軸と平行な方向及び上記対物レンズ２１の光軸と直交する平面方向に駆動変位させる駆動力を発生させるマグネット４７，４８が取付けられている。
【００７４】
また、ヨーク３７の背面側には、マグネット４７，４８が取付けられる立上り片４５，４６と平行にホルダ取付け部３８が立上り形成されている。そして、支持ホルダ３９は、相対向する両側に形成した嵌合支持部３９ａ，３９ｂをホルダ取付け部３８の両側に嵌合させることによってヨーク３７に取付けられる。このように支持ホルダ３９をヨーク３５に取付けると、マグネット４７，４８を取付けた立上り片４５，４６がボビン３７に設けた開口部２３内に挿入される。そして、一対の立上り片４５，４６間にコイル取付け板２８が位置され、フォーカシングコイル３１及びトラッキングコイル３４が、図５に示すように、一対のマグネット４７，４８により構成される磁気ギャップＧ１内に配置されて、図１に示すような本発明に係る対物レンズ駆動装置が構成されてなる。
【００７５】
ここで、コイル取付け基板２８に設けられるフォーカシングコイル３１及びトラッキングコイル３４の構成及びこれらフォーカシングコイル３１及びトラッキングコイル３４と対向させられるマグネット４７，４８及びこのマグネット４７，４８が取付けられる立上り片４５，４６を設けたヨーク３７の配置の構成を説明する。
【００７６】
フォーカシングコイル３１を構成する一対のコイル部２９，３０は、図３に示すように、ボビン２２に取付けられた対物レンズ２１の光軸に直交する方向であるコイル取付け基板２８の長手方向と平行な水平部２９ａ，２９ｂ及び水平部３０ａ，３０ｂを長辺となし、上記対物レンズ２１の光軸方向と平行な方向であるコイル取付け基板２８の短辺方向と平行な垂直部２９ｃ，２９ｄ及び垂直部３０ｃ，３０ｄを短辺となす矩形状の平板状に形成されてなる。これら一対のコイル部２９，３０は、互いに巻回方向を逆向きにして形成され、互いに隣接する一方の水平部２９ａ，３０ａ間に僅かの間隙を設けて並列してコイル取付け基板２８の一側面上に設けられている。そして、一対のコイル部２９，３０は、対物レンズ２１が光軸と直交する平面方向であるトラッキング方向に駆動変位させられたとき、垂直部２９ｃ，２９ｄ及び垂直部３０ｃ，３０ｄが一対のマグネット４７，４８により構成される磁気ギャップＧ1 内に臨むことがない長さを有する矩形状に形成されている。すなわち、フォーカシングコイル３１を構成する一対のコイル部２９，３０は、垂直部２９ｃ，２９ｄ及び垂直部３０ｃ，３０ｄ間の間隔（Ｗ1 ）が、少なくともマグネット４７，４８の幅（Ｗ2 ）に対物レンズ１のトラッキング方向の駆動変位量を加えた長さに設定される。これは、垂直部２９ｃ，２９ｄ及び垂直部３０ｃ，３０ｄがマグネット４７，４８間に構成される磁気ギャップＧ1 内に位置することによって、フォーカシングコイル２９，３０に供給される駆動電流により対物レンズ２１を光軸と平行な方向に駆動させる駆動力以外の不要な駆動力を発生させないようにするためである。
【００７７】
また、トラッキングコイル３４を構成する一対のコイル部３２，３３は、図４に示すように、ボビン２２に取付けられた対物レンズ２１の光軸と平行な方向であるコイル取付け基板２８の長手方向に直交する短辺方向と平行な垂直部３２ａ，３２ｂ及び垂直部３３ａ，３３ｂを長辺となし、上記対物レンズ２１の光軸と直交する方向であるコイル取付け基板２８の長辺方向と平行な水平部３２ｃ，３２ｄ及び水平部３３ｃ，３３ｄを短辺となす矩形状の平板状に形成されてなる。これら一対のコイル部３２，３３は、互いに巻回方向を逆向きにして形成され、図４に示すように、互いに隣接する一方の垂直部３２ａ，３３ａ間に僅かの間隙を設けて並列してコイル取付け基板２８の他側面上に設けられている。そして、一対のコイル部３２，３３は、対物レンズ２１が光軸と平行な方向であるフォーカシング方向に駆動変位させられたとき、水平部３２ｃ，３２ｄ及び水平部３３ｃ，３３ｄが一対のマグネット４７，４８により構成される磁気ギャップＧ1 内に臨むことがない長さを有する矩形状に形成されている。すなわち、トラッキングコイル３４を構成する一対のコイル部３２，３３は、水平部３２ｃ，３２ｄ及び水平部３３ｃ，３３ｄ間の間隔（Ｗ3 ）が、少なくともマグネット４７，４８の高さ（Ｈ1 ）に対物レンズ１のフォーカシング方向の駆動変位量を加えた長さに設定される。また、一対のコイル部３２，３３は、互いに隣接する一方の垂直部３２ａ，３３ａが、フォーカシングコイル３１を構成する一対のコイル部２９，３０の互いに隣接する一方の水平部２９ａ，３０ａの中央で積層されるようにしてコイル取付け基板２８上に設けられる。
【００７８】
上述のようにフォーカシングコイル３１とトラッキングコイル３４を形成することにより、これらコイル３１及び３４を設けたコイル取付け基板２８を取付けたボビン２２が支持ホルダ３９を介して磁気回路部３６上に配設されると、図３及び図４に示すように、上記フォーカシングコイル３１を構成する一対のコイル部２９，３０の互いに隣接する一方の水平部２９ａ，３０ａ及び上記トラッキングコイル３４を構成する一対のコイル部３２，３３の互いに隣接する一方の垂直部３２ａ，３３ａが一対のマグネット４７，４８により構成される磁気ギャップＧ1 内の共通磁束Ｂｇ中に位置させられることになる。
【００７９】
なお、各マグネット４７，４８は、単極着磁をもって厚さ方向に着磁が施されている。これらマグネット４７，４８は、相対向する面側をそれぞれ異極として着磁されている。
【００８０】
ここで、フォーカシングエラー信号に応じた制御電流が対物レンズ駆動制御回路から導電性を有する弾性支持部材３３を介してフォーカシングコイル３１を構成る一対のコイル部２９，３０に供給されると、これらコイル部２９，３０の互いに隣接する一方の水平部２９ａ，３０ａに流れる電流Ｉ1 又はＩ2 と磁気ギャップＧ1 内に放射されるマグネット４７，４８からの磁束Ｂｇとにより、ボビン２２を対物レンズ２１の光軸と平行な方向に駆動変位させる駆動力が発生する。この駆動力によりボビン２２が弾性支持部材３５を弾性変位部として対物レンズ２１の光軸と平行な方向に弾性変位させられることにより、上記ボビン２２に取付けられた対物レンズ２１がその光軸と平行な方向の図１中矢印Ｆ方向に駆動変位させられ、この対物レンズ２１を介して照射される光ビームのフォーカシング制御が行われる。
【００８１】
ところで、フォーカシングコイル３１を構成する一対のコイル部２９，３０は、互いに巻き方向を逆向きとして巻回されてなるので、これらコイル部２９，３０に同一方向の駆動電流Ｉ1 又は駆動電流Ｉ2 を供給したとき、互いに隣接する一方の水平部２９ａ，３０ａにおいて電流の向きは同一となる。
【００８２】
また、トラッキングエラー信号に応じた制御電流が対物レンズ駆動制御回路から導電性を有する弾性支持部材３５を介してトラッキングコイル３４を構成する一対のコイル部３２，３３に供給されると、これらコイル部３２，３３の互いに隣接する一方の垂直部３２ａ，３３ａに流れる駆動電流Ｉ1 又はＩ2 と磁気ギャップＧ1 内に放射されるマグネット４７，４８からの磁束Ｂｇとにより、ボビン２２を対物レンズ２１の光軸と直交する平面方向に駆動変位させる駆動力が発生する。この駆動力によりボビン２２が弾性支持部材３５を弾性変位部として対物レンズ２１の光軸と直交する平面方向に弾性変位させられることにより、上記ボビン２２に取付けられた対物レンズ２１がその光軸と直交する平面方向の図１中矢印Ｔ方向に駆動変位させられ、この対物レンズ２１を介して照射される光ビームのトラッキング制御が行われる。
【００８３】
このトラッキングコイル３４を構成する一対のコイル部３２，３３も、フォーカシングコイル３１を構成する一対のコイル部２９，３０と同様に互いに巻き方向を逆向きとして巻回されてなるので、各コイル部３２，３３に同一方向の駆動電流Ｉ1 又は駆動電流Ｉ2 を供給したとき、互いに隣接する一方の垂直部３２ａ，３３ａにおいて電流の向きは同一となる。
【００８４】
なお、コイル取付け板２８の下側縁とヨーク３７の上面との間には、図５に示すように、フォーカシングコイル３１が図１中矢印Ｆ方向に駆動変位する最大ストロークｌｓ分の間隙が設けられる。これは対物レンズ２１の図１中矢印Ｆ方向への駆動変位を阻害しないようにするためである。
【００８５】
上述のように、平板状をなすコイル部２９，３０及びコイル部３２，３３から構成されるフォーカシングコイル３１及びトラッキングコイル３４を設けた平板状のコイル取付け基板２８をボビン２２に取付けるようにしてなるので、フォーカシングコイル３１及びトラッキングコイル３４の全てを磁気回路部３６のマグネット４７，４８に対向する側に位置させることができる。従って、磁気回路部３６の漏れ磁束により不要な駆動力を発生させることがない。
【００８６】
また、平板状をなすコイル部２９，３０及びコイル部３２，３３から構成されるフォーカシングコイル３１及びトラッキングコイル３４を設けた平板状のコイル取付け基板２８をボビン２２に取付けるようにしてなるので、フォーカシングコイル３１及びトラッキングコイル３４のボビン２２に対する取付け位置精度を容易に出すことができ、ボビン２２の可動重心を正確に設定でき、対物レンズ２１の安定した駆動変位が実現される。
【００８７】
上述の磁気回路部３６は、ヨーク３７に相対向する互いに平行な一対の立上り片４５，４６を設け、これら立上り片４５，４６の開放された上端側の相対向する面に単極着磁されたマグネット４７，４８を取付けた構成となされている。そのため、フォーカシングコイル３１及びトラッキングコイル３４と共働して駆動力を発生させる有効磁束Ｂｇは、一対のマグネット４７，４８により構成される磁気ギャップＧ1 内に放射される磁束のみである。そして、フォーカシングコイル３１及びトラッキングコイル３４の有効磁束Ｂｇと共働して駆動力を発生させる部分は、上記磁気ギャップＧ1 内に位置する互いに隣接する一対のコイル部３２，３３の一方の水平部２９ａ，３０ａ及び一対のコイル部３２，３３の垂直部３２ａ，３３ａの一辺のみである。
【００８８】
そこで、少なくとも駆動力を発生されるために利用されるフォーカシングコイル３１の利用効率を向上させるため、ヨーク３７を構成する立上り片４５，４６のマグネット４７，４８が取付けられる面の上下端側に、図６及び図７に示すように、フォーカシングコイル３１を構成する一対のコイル部２９，３０の上記マグネット４７，４８と対向しない他方の水平部２９ｂ，３０ｂに近接対向する突出片４５ａ，４５ｂ及び突出片４６ａ，４６ｂを形成する。これら突出片４５ａ，４５ｂ及び突出片４６ａ，４６ｂは、マグネット４７，４８の厚さＷ4 と略等しい幅をもって折曲され、一対のコイル部２９，３０の他方の水平部２９ａ，３０ａが位置する部分にマグネット４７，４８間に構成される磁気ギャップＧ1 に略等しい磁気ギャップＧ2 ，Ｇ3 を構成する。これら磁気ギャップＧ2 ，Ｇ3 間には、マグネット４７，４８からの磁束が集中し、各コイル部２９，３０の他方の水平部２９ｂ，３０ｂに作用する有効磁束Ｂｇ1 及びＢｇ2 が得られる。そして、突出片４５ａ，４５ｂ及び突出片４６ａ，４６ｂにより構成される磁気ギャップＧ2 ，Ｇ3 間の磁束Ｂｇ1 及び磁束Ｂｇ2 と、これら磁気ギャップＧ2 ，Ｇ3 内に位置するコイル部２９，３０の他方の水平部２９ｂ，３０ｂに流れる電流とによりボビン２２を対物レンズ２１の光軸と平行な方向に駆動変位させる駆動力が発生する。従って、駆動力を発生されるために利用されるフォーカシングコイル３１の利用効率が向上される。
【００８９】
ところで、突出片４５ａ，４５ｂ及び突出片４６ａ，４６ｂとにより構成される磁気ギャップＧ2 ，Ｇ3 に放射される磁束Ｂｇ1 及びＢｇ2 とマグネット４７，４８間に放射される磁束Ｂｇとは図７に示すように方向が逆となる。しかし、フォーカシングコイル３１を構成する一対のコイル部２０，３０に一方向の駆動電流が供給されたとき、図７に示すように、矩形状に形成された一対のコイル部２９，３０の他方の水平部２９ｂ，３０ｂに流れる電流と一方の水平部２９ａ，３０ａに流れる電流も互いに逆向きとなるので、磁気ギャップＧ2 ，Ｇ3 の磁束Ｂｇ1 及び磁束Ｂｇ2 と、これら磁気ギャップＧ2 ，Ｇ3 内に位置する他方の水平部２９ｂ，３０ｂに流れる電流とにより発生する駆動力と一方の水平部２９ａ，３０ａに流れる電流とマグネット４７，４８間に放射される磁束Ｂｇとにより発生する駆動力の向きは同一となる。従って、フォーカシングコイル３１に供給される駆動電流に対する発生駆動力の割合が向上し、対物レンズ駆動装置としての省電力化が実現される。
【００９０】
なお、上述の如くフォーカシングコイル３１を構成する一対のコイル部２９，３０の他方の水平部２９ｂ，３０ｂに近接対向する突出片４５ａ，４５ｂ及び突出片４６ａ，４６ｂを立上り片４５，４６に設けて磁気ギャップＧ2 ，Ｇ3 を形成し、他方の水平部２９ｂ，３０ｂに作用する磁束Ｂｇ1 及び磁束Ｂｇ2 を得るようにヨーク３７を構成すると、上記フォーカシングコイル３１を構成する一対のコイル部２９，３０に積層するようにしてコイル取付け基板２８上に設けられたトラッキングコイル３４を構成する一対のコイル部３２，３３の水平部３２ｃ，３２ｄ及び水平部３３ｃ，３３ｄの一部が磁気ギャップＧ2 ，Ｇ3 中に位置する。そして、一対のコイル部３２，３３の水平部３２ｃ，３２ｄ及び水平部３３ｃ，３３ｄに流れる駆動電流と磁気ギャップＧ2 ，Ｇ3 内の磁束Ｂｇ1 及び磁束Ｂｇ2 との作用により、ボビン２２を対物レンズ２１の光軸と平行な方向に駆動変位させる駆動力が発生する。しかし、一対のトラッキングコイル３４を構成する一対のコイル部３２，３３は、巻回方向が互いに逆向きであるので、各コイル部３２，３３に一方向の駆動電流が供給されたとき、図６に示すように、上記水平部３２ｃ，３２ｄ及び上記水平部３３ｃ，３３ｄに流れる電流の向きが逆向きになる。従って、各コイル部３２，３３の水平部３２ｃ，３２ｄ及び水平部３３ｃ，３３ｄに流れる駆動電流と磁気ギャップＧ2 ，Ｇ3 内の磁束Ｂｇ1 及び磁束Ｂｇ2 との作用により発生する駆動力は、互いに逆向きとなって打ち消しあうことになり、フォーカシングコイル３１を構成する一対のコイル部２９，３０に流れる駆動電流と磁気回路部３６の磁束Ｂｇ，Ｂｇ1 及びＢｇ2 とにより発生する駆動力に大きな影響を与えることはない。
【００９１】
上述したフォーカシングコイル３１及びトラッキングコイル３４の配置の構成及び磁気回路部３６の構成は、フォーカシングコイル３１の利用効率の向上を図ることを目的に構成されてなるものであるが、さらにトラッキングコイル３４の利用効率を向上を図り、フォーカシングコイル３１又はトラッキングコイル３４に供給される駆動電流に対する駆動効率の改善を図るため、フォーカシングコイル３１及びトラッキングコイル３４の配置の構成及び磁気回路部３６の構成を図６及び図７に示すように構成すればよい。
【００９２】
まず、磁気回路部３６の構成を説明すると、この磁気回路部３６は、ヨーク３７を構成する立上り片４５，４６のマグネット４７，４８が取付けられる面の上下端側に、図６に示すように、互いに近接対向する水平方向突出片４５ａ，４５ｂ及び４６ａ，４６ｂを設け、磁気ギャップＧ２及びＧ３を形成する。さらに、立上り片４５，４６のマグネット４７，４８が取付けられる面の両側に、図１１に示すように、互いに近接対向する垂直方向突出片４５ｅ，４５ｆ及び４６ｅ，４６ｆを設け、磁気ギャップＧ４及びＧ５を形成する。
【００９３】
一方、コイル取付け基板２８の一側面側及び他側面側には、それぞれフォーカシングコイル３１を構成する一対のコイル部２９，３０及びトラッキングコイル３４を構成する一対のコイル部３２，３３が設けられる。そして、フォーカシングコイル３１を構成する一対のコイル部２９，３０は、図１２に示すように、コイル取付け基板２８の長手方向と平行な一対の水平部２９ａ，２９ｂ及び水平部３０ａ，３０ｂと上記コイル取付け基板２８の短辺方向と平行な垂直部２９ｃ，２９ｄ及び垂直部３０ｃ，３０ｄを有する平板な矩形状に巻回され、一方の水平部２９ａ及び３０ａを互いに隣接させてコイル取付け基板２８の一側面側に設けられてなる。そして、これら一対のコイル部２９，３０は、互いに隣接する一方の水平部２９ａ及び３０ａが一対のマグネット４７，４８により構成される磁気ギャップＧ１内の略中央に位置し、一方のコイル部２９の他方の水平部２９ｂが一方の水平方向突出片４５ａ及び４６ａにより構成される磁気ギャップＧ２内に位置し、他方のコイル部３０の他方の水平部３０ｂが他方の水平方向突出片４５ｂ及び４６ｂにより構成される磁気ギャップＧ３内に位置する大きさに形成されている。
【００９４】
そして、一対のコイル部２９，３０は、対物レンズ２１が光軸と直交する平面方向であるトラッキング方向に駆動変位させられたとき、各垂直部２９ｃ，２９ｄ及び３０ｃ，３０ｄが垂直方向突出片４５ｅ，４５ｆ及び４６ｅ，４６ｆにより構成される磁気ギャップＧ4 及びＧ5 内に臨むことがない幅（Ｗ4 ）もって形成されている。
【００９５】
また、コイル取付け基板２８の一側面上には、トラッキングコイル３４を構成する一対のコイル部３２，３３が、図１３に示すように、コイル取付け基板２８の長手方向と直交する短辺方向と平行な一対の垂直部３２ａ，３２ｂ及び垂直部３３ａ，３３ｂと上記コイル取付け基板２８の長手方向と平行な一対の水平部３２ｃ，３２ｄ及び水平部３３ｃ，３３ｄを有する平板な矩形状に巻回され、一方の垂直部３２ａ及び３３ａを互いに隣接させてコイル取付け基板２８の他側面側に設けられてなる。そして、これらトラッキングコイル３４を構成する一対のコイル部３２，３３は、互いに隣接する一方の垂直部３２ａ及び３３ａが一対のマグネット４７，４８により構成される磁気ギャップＧ1 内の略中央に位置し、一方のコイル部３２の他方の垂直部３２ｂが一方の垂直方向突出片４５ｅ及び４６ｅにより構成される磁気ギャップＧ4 内に位置し、他方のコイル部３３の他方の垂直部３３ｂが他方の垂直方向突出片４５ｆ及び４６ｆにより構成される磁気ギャップＧ5 内に位置する大きさに形成されている。
【００９６】
そして、上記トラッキングコイル３４を構成する一対のコイル部３２，３３は、対物レンズ２１が光軸と平行な方向であるフォーカシング方向に駆動変位させられたとき、水平部３２ｃ，３２ｄ及び水平部３３ｃ，３３ｄが水平方向突出片４５ａ，４５ｂ及び４６ａ，４６ｂにより構成される磁気ギャップＧ２及びＧ３内に臨むことがない高さ（Ｈ２）をもって形成されている。
【００９７】
上述のようにフォーカシングコイル３１及びトラッキングコイル３４並びに磁気回路部３６を構成することにより、フォーカシングコイル３１を構成する各コイル部２９，３０の各水平部２９ａ，２９ｂ及び各水平部３０ａ，３０ｂが磁束Ｂｇ，Ｂｇ1 ，Ｂｇ2 が集中する磁気ギャップＧ1 ，Ｇ2 ，Ｇ3 内に臨まされる。また、トラッキングコイル３４を構成する各コイル部３２，３３の各垂直部３２ａ，３２ｂ及び各垂直部３３ａ，３３ｂも、磁束Ｂｇ，Ｂｇ3 ，Ｂｇ4 が集中する磁気ギャップＧ1 ，Ｇ4 ，Ｇ5 内に臨まされる。
【００９８】
従って、磁気回路部３６からの磁束と共働して駆動力を発生させるために利用されるフォーカシングコイル３１を構成する一対のコイル部２９，３０及びトラッキングコイル３４を構成する一対のコイル部３２，３３の利用効率が向上され、上記フォーカシングコイル３１及びトラッキングコイル３４に供給される駆動電流に対する発生駆動力の向上が実現できる。
【００９９】
上述の磁気回路部３６は、単極着磁を施したマグネット４７，４８を用いているが、２極着磁を施したマグネット４７，４８を用いることによって少なくともフォーカシングコイル３１を構成するコイル部の利用効率を向上させることができる。
【０１００】
この２極着磁を施したマグネット４７，４８を用いて磁気回路部３６を構成した例を挙げて説明する。ここに用いられるマグネット４７，４８は、対物レンズ２１の光軸と平行な高さ方向の中心で着磁の向きを代えて２極着磁となされている。すなわち、これらマグネット４７，４８は、図１４に示すように、厚さ方向に着磁の向きを異にする第１の着磁部４７ａ，４８ａ及び第２の着磁部４７ｂ，４８ｂを、図１４に示すように、高さ方向に並列して設けて構成されてなる。これらマグネット４７，４８は、ヨーク３７を構成する相対向する一対の立上り片４５，４６の相対向する内側面に取付けられ、各マグネット４７，４８の第１の着磁部４７ａ及び４８ａにより第１の磁気ギャップＧ１を構成し、第２の着磁部４７ｂ及び４８ｂにより第２の磁気ギャップＧ２を構成している。そして、各マグネット４７，４８の第１の着磁部４７ａ，４８ａ及び第２の着磁部４７ｂ，４８ｂは、互いに着磁の方向を逆にしてなるので、第１の磁気ギャップＧ１及び第２の磁気ギャップＧ２には、方向を逆にする磁束Ｂｇ１及び磁束Ｂｇ２が放射される。
【０１０１】
この磁気回路部３６に適用されるフォーカシングコイル３１は、平板な矩形状をなす１つのコイル部５１により構成される。すなわち、フォーカシングコイル３１を構成するコイル部５１は、コイル取付け基板２８の長手方向と平行な一対の水平部５１ａ，５１ｂとコイル取付け基板２８の短辺方向と平行な垂直部５１ｃ，５１ｄを有する平板な矩形状に巻回されてコイル取付け基板２８の一側面側に設けられてなる。このコイル部５１は、一方の水平部５１が第１の着磁部４７ａ，４８ａにより構成される第１の磁気ギャップＧ1 内に位置し、他方の水平部５１ｂが第２の着磁部４７ｂ，４８ｂにより構成される第２の磁気ギャップＧ2 内に位置する大きさをもって形成されてなる。
【０１０２】
また、コイル部５１は、対物レンズ２１が光軸と直交する平面方向であるトラッキング方向に駆動変位させられるとき、各垂直部５１ｃ，５１ｄが一対のマグネット４７，４８により構成される第１及び第２の磁気ギャップＧ1 ，Ｇ2 内に位置しないような幅をもって形成されている。具体的には、各垂直部５１ｃ，５１ｄ間の間隔（Ｗ5 ）が、マグネット４７，４８の幅（Ｗ2 ）に対物レンズ２１のトラッキング方向の駆動変位量を加えた幅となされている。
【０１０３】
ここで、フォーカシングコイル３１を構成するコイル部５１に一方向の駆動電流Ｉ1 又はＩ2 が供給されると、各水平部５１ａ，５１ｂに流れる電流の方向が互いに逆向きになるが、第１及び第２の着磁部４７ａ，４８ａ及び４７ｂ，４８ｂは厚さ方向に着磁の向きを変えてあるので、第１及び第２の磁気ギャップＧ1 、Ｇ2 内の磁束Ｂｇ1 ，Ｂｇ2 も逆向きになる。従って、コイル部５１に駆動電流を供給することにより、コイル部５１の各水平部５１ａ，５１ｂを同時に利用して対物レンズ２１の光軸と平行な方向であるフォーカシング方向に駆動力を得ることができる。
【０１０４】
一方、トラッキングコイル３４は、図１６に示すように、各マグネット４７，４８の第１の着磁部４７ａ，４８ａに対向配置される一対のコイル部５２，５３と第２の着磁部４７ｂ，４８ｂに対向配置される一対のコイル部５４，５５とから構成されてなる。これらコイル部５２，５３及びコイル部５４，５５は、いずれも図１６に示すように、コイル取付け基板２８の長手方向と直交する短辺方向と平行な一対の垂直部５２ａ，５２ｂ，５３ａ，５３ｂ及び５４ａ，５４ｂ，５５ａ，５５ｂと上記コイル取付け基板２８の長手方向と平行な一対の水平部５２ｃ，５２ｄ，５３ｃ，５３ｄ及び５４ｃ，５４ｄ，５５ｃ，５５ｄを有する平板な矩形状に巻回されている。そして、第１の着磁部４７ａ，４８ａに対向配置される一対のコイル部５２，５３及び第２の着磁部４７ｂ，４８ｂに対向配置される一対のコイル部５４，５５は、いずれも一方の垂直部５２ａ，５３ａ及び５４ａ，５５ａを互いに隣接させてコイル取付け基板２８の他側面側に設けられてなる。そして、これらトラッキングコイル３４を構成する一対ずつのコイル部５２，５３及び５４，５５は、互いに隣接する一方の垂直部５２ａ，５３ａ及び５４ａ，５５ａが第１の着磁部４７ａ，４８ａ及び第２の着磁部４７ｂ，４８ｂによりそれぞれ構成される第１及び第２の磁気ギャップＧ１、Ｇ２内に位置し、他方の垂直部５２ｂ，５３ｂ及び５４ｂ，５５ｂが第１及び第２の磁気ギャップＧ１、Ｇ２の外方に位置する大きさに形成されてなる。
【０１０５】
上述の例では、単一のマグネット４７，４８に着磁方向を異にする２つの着磁部を設けた２極着磁として構成しているが、図１７、図１８及び図１９に示すように、第１の着磁部４７ａ，４８ａ及び第２の着磁部４７ｂ，４８ｂに対応して、単極着磁のマグネット１４７，１４８及１４９，１５０を設けるようにしてもよい。この場合、ヨーク３７を構成する各立上り片４５，４６に取付けられるマグネット１４７，１４８及１４９，１５０は、図１７に示すように互いに着磁の方向を異されている。
【０１０６】
そして、本実施例に係る対物レンズ駆動装置２０の要部である磁気回路部３６には、図２０及び図２１に示すように、ヨーク３７の相対向する立上り片４５、４６に取り付けられたマグネット４７、４８の磁気ギャップに、重ね合わされた１組のコイル取付け基板２８、２８が設けられている。この１組のコイル取付け基板２８、２８は、両側面にフォーカシングコイル３１とトラッキングコイル３４とがそれぞれ設けられたコイル取付け基板２８が、トラッキングコイル３４が設けられた一側面をそれぞれ重ね合わせて非導電性の接着剤等によって接合されている。
【０１０７】
すなわち、この磁気回路部３６のマグネット４７、４８の磁気ギャップには、図２２に示すように、トラッキングコイル３４、３４が重ね合わされており、重ね合わされたトラッキングコイル３４、３４の両側にフォーカシングコイル３１、３１がそれぞれ設けられている。
【０１０８】
これらフォーカシングコイル３１、３１及びトラッキングコイル３４、３４は、トラッキングコイル３４、３４が重ね合わされた重ね合わせ面に対して、フォーカシングコイル３１、３１とトラッキングコイル３４、３４とがそれぞれ面対称な４層構造に配設されている。また、フォーカシングコイル３１、３１及びトラッキングコイル３４、３４は、各コイルを構成するコイルの巻数がそれぞれ等しくされている。
【０１０９】
以上のようにフォーカシングコイル３１、３１及びトラッキングコイル３４、３４とが配設された磁気回路部３６について、フォーカシングコイル３１、３１が発生する駆動力ＦFCSとトラッキングコイル３４、３４が発生する駆動力ＦTRKとを図２０、図２１及び図２３を参照して説明する。
【０１１０】
なお、ＸーＸ' 軸、ＹーＹ' 軸及びＺ−Ｚ' 軸は、磁気ギャップの中央部を通過して互いに直交しており、これら軸線の交点にフォーカシングコイル３１、３１とトラッキングコイル３４、３４とが設けられて重ね合わされたコイル取付け基板２８、２８の重心Ｐがある。また、図２３において、マグネット４７、４８によって構成される磁気ギャップの間隔を磁気ギャップ長さＬｇとし、磁気ギャップ長さ１／２ＬｇにＹーＹ' 軸及びＸーＸ' 軸がそれぞれ位置している。
【０１１１】
さらに、図２３中に示す破線は、マグネット４７、４８が発生する磁束密度Ｂｇを示す。磁束密度Ｂｇは、マグネット４７、４８側が高く、磁気ギャップの中央部に近づくに従って低くなっている。したがって、磁気ギャップには、マグネット４７、４８によって発生する磁界密度Ｂｇが、ＸーＸ' 軸、ＹーＹ' 軸及びＺーＺ' 軸を中心としてそれぞれ対称に形成されている。
【０１１２】
そして、４層構造のフォーカシングコイル３１、３１及びトラッキングコイル３４、３４は、図２３において左から順に第１層コイル乃至第４層コイルとして、各層のコイルが発生する駆動力を順にＦFCS(1)、ＦTRK(2)、ＦTRK(3)及びＦFCS(4)とする。
【０１１３】
また、各フォーカシングコイル３１、３１は、ＺーＺ' 軸に対する距離△ＸFCS(1)、△ＸFCS(4)とすれば、
△ＸFCS(1)＝△ＸFCS(4)
となる位置に配設されている。
【０１１４】
上述したように、マグネット４７、４８が発生する磁束密度は、ＺーＺ' 軸を中心として対称に形成されているため、各フォーカシングコイル３１、３１が磁気ギャップ内でそれぞれ鎖交する磁束密度の大きさが等しくなる。そして、各フォーカシングコイル３１、３１は、コイルの巻数が等しくされており、同じ大きさの電流がそれぞれ供給される。
【０１１５】
このため、
ＦFCS(1)＝ＦFCS(4)
となる。
【０１１６】
そして、各フォーカシングコイル３１、３１が発生する駆動力ＦFCSは、ＦFCS(1)とＦFCS(4)との合力であり、
ＦFCS＝ＦFCS(1)＋ＦFCS(4)
となる。
【０１１７】
したがって、各フォーカシングコイル３１、３１が発生する駆動力ＦFCSは、作用点が重心Ｐに一致して作用する。
【０１１８】
また、各トラッキングコイル３４、３４は、ＺーＺ' 軸に対する距離△ＸTRK(2)、△ＸTRK(3)とすれば、
△ＸTRK(2)＝△ＸTRK(3)
となる位置に配設されている。
【０１１９】
上述したように、マグネット４７、４８が発生する磁束密度は、ＹーＹ' 軸を中心として対称に形成されているため、各トラッキングコイル３４、３４が磁気ギャップ内でそれぞれ鎖交する磁束密度の大きさが等しくなる。そして、各トラッキングコイル３４、３４は、コイルの巻数が等しくされており、同じ大きさの電流がそれぞれ供給される。
【０１２０】
このため、
ＦTRK(2)＝ＦTRK(3)
となる。
【０１２１】
そして、各トラッキングコイル３４、３４が発生する駆動力ＦTRKは、ＦTRK(2)とＦTRK(3)との合力であり、
ＦTRK＝ＦTRK(2)＋ＦTRK(3)
となる。
【０１２２】
したがって、各トラッキングコイル３４、３４が発生する駆動力ＦTRKは、作用点が重心Ｐに一致して作用する。
【０１２３】
上述した磁気回路部３６によれば、各フォーカシングコイル３１、３１及び各トラッキングコイル３４、３４が、Ｚ−Ｚ’軸に対して対称にそれぞれ配設されることによって、駆動力ＦＦＣＳ及び駆動力ＦＴＲＫとが各作用点を重心Ｐにそれぞれ一致して作用する。このため、磁気回路部３６は、対物レンズ２１が移動動作する際、弾性支持部材３５に捻れや撓みを生じさせる変位力の発生を低減させる。
【０１２４】
なお、上述した実施例は、図２４に示すように、トラッキングコイル３４、３４がそれぞれ重ね合わされて、トラッキングコイル３４、３４の外方にフォーカシングコイル３１、３１がそれぞれ重ね合わされた４層構造であるが、図２５に示すように、フォーカシングコイル３１、３１がそれぞれ重ね合わされて、フォーカシングコイル３１、３１の外方にトラッキングコイル３４、３４がそれぞれ重ね合わされる４層構造としても良い。
【０１２５】
また、上述した実施例は、フォーカシングコイル３１、３１及びトラッキングコイル３４、３４によって４層構造に構成されていたが、図２６に示すように、トラッキングコイル３４の重心がＺ−Ｚ' 軸上に一致するように配設して、このトラッキングコイル３４の両側面に各フォーカシングコイル３１、３１をＺ−Ｚ' 軸に対して対称にそれぞれ配設される３層構造にされた構成としても良い。
【０１２６】
さらに、上述した実施例は、図２７に示すように、フォーカシングコイル３１の重心がＺ−Ｚ' 軸上に一致するように配設して、このフォーカシングコイル３１の両側面に各トラッキングコイル３４、３４をそれぞれ配設するとともに、これらトラッキングコイル３４、３４の外方に各フォーカシングコイル３１、３１をそれぞれ配設される５層構造にされた構成としても良い。各フォーカシングコイル３１、３１、３１及び各トラッキングコイル３４、３４は、ＺーＺ' 軸に対して対称にそれぞれ配設されている。
【０１２７】
一般に、マグネットが発生する磁界強度は、マグネットからの距離の二乗に反比例して小さくなるため、マグネットに隣接する位置である外方に配設されているコイルに発生する電磁力が、重心Ｐ側である内方に配設されているコイルに発生する電磁力より大きくなる。
【０１２８】
すなわち、マグネットに隣接する位置に配設されたコイルは、内方に配設されたコイルより大きな駆動力を得ることが可能となり、動作感度を高くすることができる。したがって、上述した実施例において、フォーカシングコイル３１又はトラッキングコイル３４は、必要に応じて、いずれか一方のコイルがマグネット４７、４８に隣接する位置に配設され、また構成層数が適宜選択されて構成される。
【０１２９】
ところで、一般に、マグネット１４が発生する磁気エネルギ分布いわゆる磁束密度は、図２８及び図２９に示すように、マグネット１４の中央部が最も大きく、マグネット１４の外周部側に向かって次第に小さくなっている。そして、フォーカシングコイル３１及びトラッキングコイル３４は、磁気ギャップ内を移動動作するため、マグネット１４の中央部に臨む位置に必ずしも位置しない。
【０１３０】
したがって、フォーカシングコイル３１及びトラッキングコイル３４は、磁気ギャップ内を移動動作する際、磁束Ｂｇとの鎖交状態が急激に変化するため、共振が発生したり、消費電力の急激な増減や、動作制御の精度の低下等の不都合がある。
【０１３１】
これらの不都合の対策として、マグネットの中央部の厚み寸法を外周部の厚み寸法に比較して薄く形成したり、マグネットの中央部に穴を設けることによって、磁気エネルギ分布の均一化を図る対策が、実公平５ー１６６５２に開示されている。しかしながら、この対策は、マグネット及びヨークを加工する加工費が高く製造コストがかさむという不都合があった。
【０１３２】
そこで、上述した不都合を改善した磁気回路部１３６について、図３０乃至図３２を参照して説明する。この磁気回路部１３６は、ヨーク１３７を構成する相対向する一対の立上り片１４５、１４６の一方の立上り片１４６の内側に、マグネット４４７が取り付けられている。
【０１３３】
ヨーク１３７には、立上り片１４５、１４６に、マグネット４４７の中央部に臨んで、互いに相対向する磁気抵抗部がそれぞれ設けられている。これらの磁気抵抗部は、立上り片１４５、１４６と直交して貫通された所定寸法の穴１３７Ｈ１、１３７Ｈ２によって構成されている。
【０１３４】
すなわち、磁気回路部１３６は、ヨーク１３７の立上り片１４５、１４６に、穴１３７Ｈ１、１３７Ｈ２がそれぞれ設けられることによって、マグネット４４７の中央部の磁気抵抗が大きくされている。このため、磁気回路部１３６は、マグネット４４７によって発生する磁束密度の均一化が図られている。
【０１３５】
したがって、上述した磁気回路部３６を改善した磁気回路部２３６について、図３３乃至図３５を参照して説明する。この磁気回路部２３６は、ヨーク２３７を構成する相対向する一対の立上り片２４５、２４６の内側に、マグネット４７、４８がそれぞれ取り付けられている。
【０１３６】
ヨーク２３７には、立上り片２４５、２４６に、マグネット４７、４８の中央部に対応して、互いに相対向する磁気抵抗部がそれぞれ設けられている。これらの磁気抵抗部は、立上り片２４５、２４６に直交して幅方向に延長された所定寸法の長穴２３７Ｊ１、２３７Ｊ２によって構成されている。すなわち、磁気回路部２３６は、ヨーク２３７の立上り片２４５、２４６に、長穴２３７Ｊ１、２３７Ｊ２がそれぞれ設けられることによって、マグネット４７、４８の中央部の磁気抵抗が大きくされている。
【０１３７】
上述した磁気回路部２３６によれば、ヨーク２３７に長穴２３７Ｊ１、２３７Ｊ２がそれぞれ設けられることによって、マグネット４７、４８の磁気ギャップ内の磁束密度の均一化が図られている。したがって、磁気回路部２３６は、磁気ギャップ内を対物レンズ２１が移動動作する際、共振が発生したり動作感度が変化するという不都合を低減させる。
【０１３８】
なお、磁気回路部２３６は、マグネット４７、４８の長さ寸法、幅寸法等の外形寸法に応じて、磁気抵抗部を構成する穴の形状、外形寸法を適宜設定することによって、マグネット４７、４８が発生する磁気エネルギ分布を任意に設定することが可能とされる。
【０１３９】
また、２極着磁されたマグネットを用いた磁気回路部３３６について、図３６乃至図３８を参照して説明する。この磁気回路部３３６は、ヨーク３３７を構成する相対向する一対の立上り片３４５、３４６の内側に、マグネット１４７、１４８及びマグネット１４９、１５０がそれぞれ取り付けられている。
【０１４０】
ヨーク３３７の立上り片３４５、３４６には、マグネット１４７、１４９の中央部に対応して、相対向する磁気抵抗部がそれぞれ設けられている。これらの磁気抵抗部は、立上り片３４５、３４６と直交して貫通された所定寸法の穴３３７Ｋ１、３３７Ｋ２によって構成されている。すなわち、磁気回路部３３６は、ヨーク３３７の立上り片３４５、３４６に、穴３３７Ｋ１、３３７Ｋ２がそれぞれ設けられることによって、マグネット１４７、１４９の中央部の磁気抵抗が大きくされている。
【０１４１】
また、ヨーク３３７の他方の立上り片３４６には、マグネット１４８、１５０の中央部に対応して、相対向する磁気抵抗部がそれぞれ設けられている。これらの磁気抵抗部は、立上り片３４５、３４６と直交して貫通された所定寸法の穴３３７Ｌ１、３３７Ｌ２によって構成されている。すなわち、磁気回路部３３６は、ヨーク３３７の立上り片３４５、３４６に、穴３３７Ｌ１、３３７Ｌ２がそれぞれ設けられることによって、マグネット１４８、１５０の中央部の磁気抵抗が大きくされている。
【０１４２】
上述したように、磁気回路部３３６によれば、ヨーク３３７に穴３３７Ｋ１、３３７Ｋ２及び穴３３７Ｌ１、３３７Ｌ２がそれぞれ設けられることによって、マグネット１４７、１４９及びマグネット１４８、１５０の磁気ギャップ内の磁束密度の均一化が図られている。したがって、磁気回路部３３６は、磁気ギャップ内を対物レンズ２１が移動動作する際、共振が発生したり動作感度が変化するという不都合を低減させる。また、磁気回路部３３６は、マグネット１４７、１４８の隣接部及びマグネット１４９、１５０の隣接部の近傍位置における磁界強度の変化率を緩やかにすることができる。
【０１４３】
なお、上述した磁気回路部２３６、３３６に設けられた磁気抵抗部は、ヨーク２３７の立上り片２４５、２４６、及びヨーク３３７の立上り片３４５、３４６に合成樹脂等の非磁性材料を穴に埋設する構成としても良い。
【０１４４】
ところで、上述した対物レンズ駆動装置２０を構成する対物レンズ２１が取付けられたボビン２２を支持する弾性支持部材３５は、上記ボビン２２に取付けられるコイル取付け基板２８の各コーナ部に設けた接続端子部４０内に位置して穿設された弾性支持部材挿通孔１９に挿通した一端部３５ａを半田４１等の導電性を有する接着剤を用いてコイル取付け基板２８に固定支持させてボビン２２を移動可能に支持している。
【０１４５】
このようにコイル取付け基板２８に弾性支持部材挿通孔１９を穿設し、この挿通孔１９に一端部３５ａを挿通して弾性支持部材３５の支持を行うことにより、半田４１等の接着剤が弾性支持部材３５の外周囲全周に亘って塗布されるので、弾性支持部材３５と接続端子部４０間の確実な電気的な導通を図り、コイル取付け基板２８に対する取付け強度を十分に確保することができる。
【０１４６】
この場合、弾性支持部材３５の一端部３５ａを弾性支持部材挿通孔１９に挿通させる必要があり、弾性支持部材３５のコイル取付け基板２８への取付け作業性を悪くする虞れがある。
【０１４７】
そこで、弾性支持部材挿通孔１９に代えて、図３９に示すように、接続端子部４０内に位置して長手方向の辺側を開放した嵌合凹部７１をコイル取付け基板２８に設け、この嵌合凹部７１に一端部３５ａを嵌合させて弾性支持部材３５のコイル取付け基板２８への取付けを行うようにしてもよい。このようにコイル取付け基板２８の長手方向の辺側を開放させた嵌合凹部７１を用いることにより、コイル取付け基板２８の辺に長手方向を直交させて嵌合させるだけで弾性支持部材３５の嵌合凹部７１への配置を行うことができるので、弾性支持部材３５のコイル取付け基板２８への取付け作業性を向上させることができる。
【０１４８】
この場合にあっても、弾性支持部材３５は、嵌合凹部７１内に浮かされた状態で接続端子部４０に被着される半田４１等の導電性接着剤によりコイル取付け基板２８に電気的な導通が図られて固定支持される。
【０１４９】
また、各嵌合凹部７１は、図４０に示すように、コイル取付け基板２８の長手方向の辺と直交する短辺方向の辺を開放させて形成するようにしてもよい。このように各嵌合凹部７１を形成することにより、ボビン２２の両側にそれぞれ配設される一対ずつの弾性支持部材３５，３５の一端部３５ａ，３５ａ側及び他端部３５ｂ，３５ｂ側の中途部を、図４１に示すように、連結具７２，７２により連結した状態でコイル取付け基板２８に取付けることができる。このように連結具７２により連結することにより、一対の弾性支持部材３５，３５の互いの平行度を正確に維持した状態でコイル取付け基板２８への取付けを行うことができる。なお、連結具７２，７２は、導電性を有する一対の弾性支持部材３５，３５の絶縁を確保するため、合成樹脂等の絶縁材料により形成される。
【０１５０】
上述した例にあっては、各弾性支持部材３５は、コイル取付け基板２８のコイルが設けられる平面に設けた接続端子部４０に被着される半田４１等の導電性材料により固定されてなるので、フォーカシングコイル３１及びトラッキングコイル３４を設けたコイル取付け基板２８の板厚にバラツキがあると、弾性支持部材３５により支持された状態のボビン２２の重心バランスに悪影響を与える場合がある。
【０１５１】
そこで、図４２及び図４３に示すように、嵌合凹部７１の内周面に接続端子部７３を形成し、この嵌合凹部７１内に被着される半田４１等の導電性材料により各弾性支持部材３５と接続端子部７３間の電気的な接続及び機械的な接続を図るようにする。このようにコイル取付け基板２８の板厚内で弾性支持部材３５の固定を行うことにより、コイル取付け基板２８の板厚にバラツキに大きな影響を受けることなくボビン２２の支持を行うことが可能となる。
【０１５２】
上述の実施例では、ボビン２２を支持する弾性支持部材３５を導電性の材料により形成し、この弾性支持部材３５を介してコイル取付け基板２８に設けたフォーカシングコイル３１及びトラッキングコイル３４への給電を行うようにしているが、図４４に示すように、コイル取付け基板２８に給電線となるフレキシブルプリント配線基板７４を取付け、このフレキシブルプリント配線基板７４を介してフォーカシングコイル３１及びトラッキングコイル３４への給電を行うようにしてもよい。この場合、弾性支持部材３５には、導電性を有する材料で形成する必要性がなくなる。そのため、弾性支持部材３５は、ボビン２２を含む可動部を移動可能に支持するために弾性特性等に適切な特性を有する材料を自在に選択し形成することができる。例えば、弾性支持部材３５を、電気的特性に優れない金属性の板バネや絶縁体である合成樹脂やゴム等により構成することができる。
【０１５３】
ここに用いられるコイル取付け基板２８としては、図４０に示すような短辺方向を開放した嵌合凹部７１を設けたものが用いられる。すなわち、フォーカシングコイル３１及びトラッキングコイル３４への給電用のフレキシブルプリント配線基板７４が延在されたコイル取付け基板２８への弾性支持部材３５の取付けを容易をなすためである。
【０１５４】
また、フォーカシングコイル３１及びトラッキングコイル３４への給電にフレキシブルプリント配線基板７４を用いた場合、コイル取付け基板２８に導電性を有する弾性支持部材３５との電気的接続を図るための接続端子部４０を形成する必要もなくなる。さらに、弾性支持部材３５の他端部３５ｂを外部の駆動制御回路に接続させるためのフレキシブルプリント配線基板４４を支持ホルダ３９に設ける必要がなる。この場合、弾性支持部材３５の他端部３５ｂは、支持ホルダ３９に直接若しくはこの支持ホルダ３９に取付けられる固定板３９ａを介して固定支持される。
【０１５５】
ところで、上述の対物レンズ駆動装置２０にあっては、コイル取付け板挿入溝２７，２７がボビン２２の両側を開放された凹状の溝として形成されているので、コイル取付け板２８をボビン２２に取付ける際、支持具を用いてボビン２２に対する長手方向の位置合わせを行った状態で接着剤を塗布して固定を行う必要がある。すなわち、コイル取付け基板２８に設けたフォーカシングコイル３１及びトラッキングコイル３４と磁気回路部３６を構成するマグネット４７，４８との対向位置を位置決めするため、コイル取付け基板２８のボビン２２に対する長手方向の位置合わせを行う必要がある。
【０１５６】
そこで、ボビン２２の両側に、図４５に示すように、側方に突出する鍔部７６，７６を設け、これら鍔部７６，７６の中途部に至るまでコイル取付け板挿入溝２７，２７を穿設し、側端部２７ａ，２７ｂを閉塞する。そして、これら側端部７２ａ，７２ｂをコイル取付け基板２８のボビン２２に対する長手方向の位置規制部となすことにより、支持具を用いることなくコイル取付け基板２８のボビン２２への位置決めを図った取付けが可能となる。
【０１５７】
また、前述したフレキシブルプリント配線基板７４を用いてフォーカシングコイル３１及びトラッキングコイル３４への給電を行うように構成した場合には、弾性支持部材３５を介してコイル取付け基板３５に設けたフォーカシングコイル３１及びトラッキングコイル３４への給電を行う必要がなくなる。そこで、支持ホルダ３９に他端部３５ｂを固定支持された弾性支持部材３５の一端部３５ａ側をボビン２２に直接支持させるようにしてもよい。
【０１５８】
この場合、例えば合成樹脂からなるボビン２２の側面に、図４６に示すように、ボビン２２と一体に形成した弾性支持部材取付け部７５を設け、この弾性支持部材取付け部７５に穿設した貫通孔７５ａに弾性支持部材３５の一端部３５ａを挿通させて支持させるようになす。
【０１５９】
さらにまた、上述した対物レンズ駆動装置２０は、フォーカシングコイル３１及びトラッキングコイル３４を取付けたコイル取付け基板２８をボビン２２に取付け、このボビン２２に取付けられたコイル取付け基板２８を複数の弾性支持部材３５により支持したコイル可動型のものとして構成されているが、マグネット４７，４８を取付けたヨーク３７をボビン２２側に取付け、コイル取付け基板２８を固定部を構成する支持基板７８側に配設したマグネット可動型のもとして構成してもよい。
【０１６０】
このマグネット可動型の対物レンズ駆動装置１２０は、図４７及び図４８に示すように、ボビン２２を構成するボビン本体２４に形成した開口部２３内に、マグネット４７，４８を取付けたヨーク３７を嵌合配設する。このヨーク３７は、相対向する立上り片４５，４６を有する断面コ字状に形成され、これら立上り片４５，４６の相対向する面にそれぞれマグネット４７，４８を取付けている。そして、ヨーク３７は、開放された先端側をボビン２２の下方側に面に向けてボビン本体２４の開口部２３内に嵌合配設される。このようにヨーク３７を開口部２３内に配設することにより、立上り片４５，４６の相対向する面に取付けられたマグネット４７，４８は、相対向する面を開口部２３に臨ませた状態でボビン２２に配設されてなる。
【０１６１】
なお、ヨーク３７には、一方のマグネット４７のみを設けるだけでもよい。また、一対のマグネット４７，４８を用いる場合には、これらマグネット４７，４８は、ヨーク３７を用いることなく直接ボビン２２の開口部２３内に相対向させて取付けるようにしてもよい。すなわち、一対のマグネット４７，４８を用いることにより、これらマグネット４７，４８間に磁束の集中を図ることができるためである。
【０１６２】
そして、ヨーク３５を介してマグネット４７，４８を取付けたボビン２２は、前述のコイル可動型の対物レンズ駆動装置２０と同様に、図４７及び図４８に示すように、支持基板７８に取付けられる支持ホルダ３９に支持された一対ずつの線状をなすワイヤーの如き弾性支持部材３５により相対向する両側を支持される。このボビン２２を移動可能に支持する弾性支持部材３５は、一端部３５ａがボビン２２の両側に突設した支持部材支持部７９に支持され、他端部３５ｂが支持ホルダ３９に支持されることにより、対物レンズ２１を保持したボビン２２を上記対物レンズ２１の光軸と平行な方向及び上記対物レンズ２１の光軸と直交する平面方向に移動可能に支持してなる。
【０１６３】
なお、マグネット可動型の対物レンズ駆動装置１２０にあっては、ボビン２２を含む可動部側に給電部が設けられないので、弾性支持部材３５を導電性材料で形成する必要性はない。
【０１６４】
一方、コイル取付け基板２８は、フォーカシングコイル３１及びトラッキングコイル３４が設けられた平面をボビン２２に保持された対物レンズ２１の光軸と平行になるようして、弾性支持部材３５を介して移動可能にボビン２２が配設される支持基板７８上に取付けられる。このコイル取付け基板２８は、支持基板７８上に取付けられた状態で、ボビン２２に取付けられたヨーク３７を構成する一対の立上り片４５，４６間に位置され、フォーカシングコイル３１及びトラッキングコイル３４をマグネット４７，４８にさせてなる。
【０１６５】
ここで用いられるコイル取付け基板２８は、図４７に示すように、基端側に支持基板７８に穿設した嵌合溝７８ａに嵌合する嵌合片８０が設けられている。この嵌合片８０の平面には、フォーカシングコイル３１を構成するコイル部２９，３０及びトラッキングコイル３４を構成するコイル部３１，３２から延長された接続端子部８１が設けられている。このコイル取付け基板２８は、嵌合片８０を嵌合溝７９に嵌合させて支持基板７８に植立するように取付けられる。そして、嵌合溝７９を介して支持基板７８の下面側に突出した嵌合片８０に設けた接続端子部８１が、支持基板７８の下面側に形成された配線パターン８２に半田８３等の導電性接着剤により電気的に接続されることにより、図４９に示すように、フォーカシングコイル３１を構成するコイル部２９，３０及びトラッキングコイル３４を構成するコイル部３１，３２が、上記配線パターン８２を介して図示しない駆動制御回路に接続される。
【０１６６】
また、フォーカシングコイル３１を構成するコイル部２９，３０及びトラッキングコイル３４を構成するコイル部３１，３２を駆動制御回路に接続するため、図５０に示すように、嵌合片８０からフレキシブルプリント基板８４を延長する。そして、このフレキシブルプリント基板８４を、図５１に示すように、駆動制御回路が設けられたプリント配線基板８５の接続パターン８５ａに半田８４ａ等の導電性接着剤を用いて接続することによって、フォーカシングコイル３１を構成するコイル部２９，３０及びトラッキングコイル３４を構成するコイル部３１，３２を駆動制御回路に接続するようにしてもよい。
【０１６７】
この下端側にフレキシブルプリント基板８４を延長し、このフレキシブルプリント基板８４を介して駆動制御回路が設けられたプリント配線基板８５にフォーカシングコイル３１を構成するコイル部２９，３０及びトラッキングコイル３４を接続する構成は、フレキシブルプリント基板８４が可撓性を有するものであるので、コイル可動型の対物レンズ駆動装置２０に用いられるコイル取付け基板２８も適用することができる。コイル可動型の対物レンズ駆動装置２０に適用する場合には、支持基板７８に支持させるための嵌合片８０は不要である。
【０１６８】
また、コイル可動型の対物レンズ駆動装置２０に適用する場合には、フレキシブルプリント基板８４に代えて、可撓性を有する細線であるリッツ線を用いてもよい。
【０１６９】
なお、マグネット可動型の対物レンズ駆動装置１２０にあっても、前述したコイル可動型の対物レンズ駆動装置２０に適用されるコイル取付け基板２８及び磁気回路部３６の構成がそのまま適用できるので、詳細な説明は省略する。すなわち、フォーカシングコイル３１及びトラッキングコイル３４が設けられるコイル取付け基板２８を固定側に配し、磁気回路部３６を構成するマグネット４７，４８、１４７，１４８，２４７，３４７を可動部を構成するボビン２２側に配する構成となすことにより、マグネット可動型の対物レンズ駆動装置１２０にそのまま適用できるものである。
【０１７０】
上述した対物レンズ駆動装置２０、１２０は、光ビームを出射する光源や光ディスクからの戻り光を検出する受光素子を設けたベース上に配置されて光ピックアップ装置を構成する。
【０１７１】
そこで、前述したコイル可動型の対物レンズ駆動装置２０を用いて光ピックアップ装置を構成した例を挙げて説明する。
【０１７２】
この光ピックアップ装置は、図５２に示すように、相対向する両側に、光ディスク記録及び／又は再生装置内に互いに平行に配設される平行ガイド部を構成するスライドガイド基準軸９１及びスライドガイド軸９２がそれぞれ挿通され又は係合される被ガイド部としてのガイド軸挿通部９３及びガイド軸係合部９４を相対向する両側に設けた略平板状をなすベース９５を備えている。このベース９５の両側に設けらるガイド軸挿通部９３は、スライドガイド基準軸９１が挿通される貫通孔９３ａを穿設して構成され、またガイド軸係合部９４は、一側側を開放した凹溝を有する断面コ字状に形成されてなる。
【０１７３】
そして、対物レンズ駆動装置２０は、図５２に示すように、対物レンズ２１を保持したボビン２２を移動可能に支持する弾性支持部材３５の延長方向を、互いに平行なスライドガイド基準軸９１及びスライドガイド軸９２の軸方向に直交させ、これらスライドガイド基準軸９１及びスライドガイド軸９２間の中央部分に位置してベース９５上に配設されてなる。より具体的には、ボビン２２の一端側に保持された対物レンズ２１の光軸が、スライドガイド基準軸９１及びスライドガイド軸９２間の略中心に位置して配設されなる。
【０１７４】
なお、この対物レンズ駆動装置２０は、磁気回路部３６を構成するヨーク３７をビス等を用いて固定することによってベース９５上に取付けられる。
【０１７５】
この対物レンズ駆動装置２０が取付けられるベース９５上には、対物レンズ駆動装置２０に設けられた対物レンズ２１を介して記録媒体としての光ディスクに照射される光ビームを出射するレーザ光源としての半導体レーザ素子及び光ディスクから反射された戻り光を受光する受光素子、半導体レーザから出射された光ビームと上記戻り光を分離する分離光学素子を一体的に構成した発光受光複合素子９６が配設されている。
【０１７６】
この発光受光複合素子９６は、パッケージ９７内にマウントされて、このパッケージ９７を介してベース９５に取付けられる。そして、発光受光複合素子９６は、図５３に示すように、半導体基板９８を含む複数の半導体層を積層して半導体レーザ素子９９を形成している。また、半導体基板９８上には、半導体レーザ素子９９の一方の光ビーム出射面９９ａと対向して、この半導体素子９９から出射された光ビームと光ディスクから反射された戻り光を分離するビームスプリッタプリズム１００が設けられている。このビームスプリッタプリズム１００は、接着剤１０１を介して半導体基板９８上に接合されている。
【０１７７】
そして、ビームスプリッタプリズム１００は、半導体レーザ素子９９の一方の光ビーム出射面９９ａに対向する面を、図５３及び図５４に示すように、半導体レーザ素子９９から出射された光ビームＬs の光軸に対して傾斜させた傾斜面としている。この傾斜面は、具体的には光ビームの光軸に対して４５度の傾斜角をもって傾斜されている。そして、傾斜面上には、半導体レーザ素子９９から出射された光ビームＬs を反射させ、戻り光Ｌb を透過させる機能を有する半透過反射膜１０１が形成されている。このような半透過反射膜１０１を傾斜面に形成することにより、半導体レーザ素子９９から出射された光ビームＬs は、半透過反射膜１０１により光軸を９０度折り曲げられて進行する。
【０１７８】
また、半透過反射膜１０１は、光ディスクから反射された戻り光を透過させてビームスプリッタプリズム１００内に透過させる。この半透過膜１０１を透過した戻り光は、ビームスプリッタプリズム１００内を反射されながら進行する。
【０１７９】
そして、半導体基板９８上のビームスプリッタプリズム１００が配設された下面側には、ビームスプリッタプリズム１００内を反射されながら進行する光ディスクからの戻り光を受光する受光素子である第１及び第２の分割ディテクタ１０２，１０３が形成されている。これら第１及び第２の分割ディテクタ１０２，１０３は、各分割ディスク１０２，１０３を構成する複数の受光素子で戻り光を検出することによって、フォーカスエラー信号、トラッキングエラー信号及び光ディスクに記録された情報信号の読み取り信号を出力する。
【０１８０】
上述のように共通の半導体基板９８上に半導体レーザ素子９９及び第１及び第２の分割ディテクタ１０２，１０３を設けて構成された発光受光複合素子９６は、図５４に示すように、半導体レーザ素子９９から出射される光ビームＬs の出射方向がベース９５上に配設された対物レンズ駆動装置２０に設けられた対物レンズ２１の光軸と平行になるようにしてベース９５上に取付けられる。すなわち、半導体基板９８が、半導体レーザ素子９９及び第１及び第２の分割ディテクタ１０２，１０３を形成した面を対物レンズ２１の光軸と平行となされてベース９５上に取付けられている。
【０１８１】
ところで、発光受光複合素子９６は、半導体レーザ素子９９及び第１及び第２の分割ディテクタ１０２，１０３を形成した半導体基板９８がパッケージ９７にマウントされてこのパッケージ９７内に収納配置されてなる。そして、発光受光複合素子９６は、パッケージ９７がベース９５に形成された一対の複合素子取付け部１０５，１０５間に取付けられることによりベース９５上に配置されてなる。この発光受光複合素子９６が取付けられる複合素子取付け部１０５，１０５は、対物レンズ１の光軸と平行となるようにベース９５面に垂直に立上り形成されている。
【０１８２】
すなわち、発光受光複合素子９６は、半導体レーザ素子９９から出射された光ビームＬs の光路を９０度偏向する半透過反射膜１０１を複合素子取付け部１０５，１０５間に臨まさせ、パッケージ９７の両側をそれぞれ複合素子取付け部１０５，１０５に支持させることによりベース９５上に取付けられてなる。
【０１８３】
このように半導体基板９８の半導体レーザ素子９９及び第１及び第２の分割ディテクタ１０２，１０３を形成した面を対物レンズ２１の光軸と平行となし、ビームスプリッタプリズム１００の半透過反射膜１０１を複合素子取付け部１０５，１０５間に臨ませて発光受光複合素子９６をベース９５上に配置することにより、対物レンズ１の光軸と平行と平行な方向に半導体レーザ素子９９から光ビームＬs の出射が行われる。そして、この光ビームＬs は、半透過反射膜１０１により光路が９０度偏向させることにより、対物レーザ２１の光軸と直交する方向であるベース９５面と平行な方向に進行する。
【０１８４】
そして、発光受光複合素子９６は、図５５に示すように、ベース９５上に配設された対物レンズ駆動装置２０の一端側に設けられた対物レンズ２１の斜め側方に位置である対物レンズ２１の光軸回りに略４５度傾けた位置に配置されてなる。すなわち、発光受光複合素子９６は、半透過反射膜１０１により光路を９０度偏向されて進行する光ビームＬs の光路が、対物レンズ２１を取付けたボビン２２を片持ち支持する弾性支持部材３５の延長方向Ｘ1 に対し略４５度の角度をなすようにしてベース９５上に配置されてなる。
【０１８５】
また、ベース９５上には、このベース９５上に配設された対物レンズ駆動装置２０に設けられた対物レンズ２１の直下に位置して反射ミラー１０６が設けられている。この反射ミラー１０６は、半導体レーザ素子９９から出射されビームスプリッタプリズム１００の半透過反射膜１０１により光路を９０度偏向されて進行する光ビームＬs の光路を、図５４に示すように、９０度偏向してこの光ビームＬs を対物レンズ２１に入射させるためのものである。そして、光ビームＬs の光路を９０度偏向させる反射ミラー１０６の反射面１０６ａは、図５４に示すように、対物レンズ２１の直下の光軸に対し４５度傾けて形成されている。また、反射ミラー１０６は、反射面１０６ａが半透過反射膜１０１により光路を９０度偏向されて進行する光ビームＬs に正対するようになすため、対物レンズ２１の光軸回りに略４５度傾けた状態でベース９５上に設けられている。すなわち、反射ミラー１０６は、対物レンズ２１を取付けたボビン２２を片持ち支持する弾性支持部材３５の延長方向Ｘ1 に対し略４５度の角度をなすようにしてベース９５上に配置されてなる。
【０１８６】
また、ベース９５上に配設される対物レンズ駆動装置２０を構成するボビン２２の対物レンズ２１が取付けられる側の端部の下面側で、ベース９５上に配設された反射ミラー１０６と対向する部分には、図１及び図５２に示すように、切欠部１０７が形成されている。すなわち、切欠部１０７は、ボビン２２を構成するボビン本体２４の一端側に突設した対物レンズ２１を保持する対物レンズ取付け部２５の下面側周縁に形成されてなる。このような切欠部１０７を形成することにより、反射ミラー１０６を対物レンズ２１に一層近接させることができ、光ピックアップ装置の高さを抑えることができ、装置の一層の薄型化を図ることができる。
【０１８７】
上述のように共通の半導体基板９８上に半導体レーザ素子９９及び第１及び第２の分割ディテクタ１０２，１０３を設け、さらに光ビームの分離光学素子としてのビームスプリッタプリズム１００をパッケージ９７に収納して構成した発光受光複合素子９６を用いることにより、光ディスクに入射される光ビームの光路と光ディスクから反射された戻り光の光路を分離してベース９５に構成する必要がないので、光学ブロックの構成を小型化することができ、装置自体の小型化が可能となる。
【０１８８】
また、発光受光複合素子９６を構成する半導体レーザ素子９９から出射された光ビームＬs は、ベース９５面と平行に進行するので、光ピックアップ装置の薄型化が可能となる。
【０１８９】
さらに、発光受光複合素子９６は、対物レンズ２１の斜め側方に位置である対物レンズ２１の光軸回りに略４５度傾けた位置に配置されてなることから、光ピックアップ装置の対物レンズ２１がその光軸に直交する平面方向に移動するトラッキング方向に幅を小さくすることができる。
【０１９０】
上述した光ピックアップ装置に用いられる発光受光複合素子９６は、この半導体素子９９から出射された光ビームと光ディスクから反射された戻り光を分離する分離光学素子として、半導体レーザ素子９９及び第１及び第２の分割ディテクタ１０２，１０３が共通に形成される半導体基板９８上に設けられたビームスプリッタプリズム１００により構成しているが、図５６及び図５７に示すように、ホログラム素子１１０を用いたものであってもよい。
【０１９１】
このホログラム素子１１０を用いた発光受光複合素子１１１は、図５７に示すように、前述した発光受光複合素子９６と同様に共通の基板１１２上に半導体レーザ素子１１３及び５分割ディテクタ１１４を並列して設ける。この半導体レーザ素子１１３及び５分割ディテクタ１１４を設けた共通の基板１１２は、パッケージ１１５にマウントされてなる。そして、半導体レーザ素子１１３から出射される光ビームＬs の光路上に位置してホログラム素子１１０を配置する。このホログラム素子１１０は、接着剤等を用いてパッケージ１１５の前面側に取付けられる。
【０１９２】
なお、半導体レーザ素子１１３とホログラム素子１１０間には、グレーティング１１６が設けられる。
【０１９３】
このホログラム素子１１０を用いた発光受光複合素子１１１は、図５６に示すように、半導体レーザ素子１１３及び５分割ディテクタ１１４を内蔵し、ホログラム素子１１０を取付けたパッケージ１１５をベース９５上に設けたレーザホログラムユニット取付け部１１７に支持させることによって上記ベース９５上に取付けられてなる。
【０１９４】
このホログラム素子１１０を用いた発光受光複合素子１１１も、前述した発光受光複合素子９６と同様に、基板１１２が半導体レーザ素子１１３及び５分割ディテクタ１１４を設けた面を対物レンズ２１の光軸と平行となるようにしてベース９５上に取付けられてなる。そして、半導体レーザ素子１１３から出射される光ビームＬs は、基板１１２に垂直であって、ベース９５面と平行な方向に出射される。
【０１９５】
また、上記発光受光複合素子１１１も、ベース９５上に配設された対物レンズ駆動装置２０の一端側に設けられた対物レンズ２１の斜め側方に位置である対物レンズ２１の光軸回りに略４５度傾けた位置に配置されてなる。すなわち、発光受光複合素子１１１は、半導体レーザ素子１１３から出射される光ビームＬs の出射方向が、対物レンズ２１を取付けたボビン２２を片持ち支持する弾性支持部材３５の延長方向Ｘ1 に対し略４５度の角度をなすようにしてベース９５上に配置されてなる。
【０１９６】
上述したホログラム素子１１０を用いた発光受光複合素子１１１を構成する半導体レーザ素子１１１から出射された光ビームＬs は、グレーティング１１６により２つのトラッキング用サブビームと情報信号読出し用の主ビームに分離される。この３つのビームに分離された光ビームＬs は、ホログラム素子１１０を介してベース９５上に配設した反射ミラー１０６に入射され、この反射ミラー１０６により光路が９０度偏向されて対物レンズ２１に入射され、この対物レンズ２１を介して光ディスクに照射される。
【０１９７】
また、光ディスクにより反射された戻り光Ｌb は、対物レンズ２１を介して反射ミラー１０６に入射され、この反射ミラー１０６により光路が９０度偏向されてホログラム素子１１０に入射されて回折される。このホログラム素子１１０により回折された戻り光は、５分割ディテクタ１１４上に導かれる。
【０１９８】
ところで、ホログラム素子１１０は、格子周期の異なる２つの領域を設けることにより、グレーティング１１６により分離された主ビームに基づく光ディスクＤS からの戻り光Ｌb のうち、一方の領域に入射したものは、図５８に示すように、５分割ディテクタ１１４を構成する光検出部Ｄ2 ，Ｄ3 の分割線上に、他方の領域に入射したものは、光検出部Ｄ4 上に集光される。また、サブビームに基づく戻り光Ｌb は、それぞれ光検出部Ｄ1 ，Ｄ5 に集光される。そして、各光検出部Ｄ1 〜Ｄ5 から得られる戻り光Ｌb の検出出力Ｓ1 〜Ｓ5 に基づいてフォーカスエラー信号、トラッキングエラー信号及び情報信号読み取り信号が得られる。すなわち、フォーカスエラーエラー信号は、主ビームに基づく戻り光Ｌb を検出する光検出部Ｄ2 ，Ｄ3 の検出出力Ｓ2 ，Ｓ3 の差から得られ、トラッキングエラー信号は、サブビームに基づく戻り光Ｌb を検出する光検出部Ｄ1 ，Ｄ5 の検出出力Ｓ1 ，Ｓ5 の差から得られる。そして、情報信号読み取り信号は、主ビームに基づく戻り光を検出する光検出部Ｄ2 ，Ｄ3 ，Ｄ4 の検出出力Ｓ2 ，Ｓ3 ，Ｓ4 の総和から得られる。
【０１９９】
このホログラム素子１１０を用いた発光受光複合素子１１１をベース９５上に取付けた光ピックアップ装置も、基板１１２上に半導体レーザ素子１１３及び５分割ディテクタ１１４を共通の基板１１２に設け、さらに光ビームの分離光学素子としてのホログラム素子１１０を一体化してなるので、光ディスクに入射される光ビームの光路と光ディスクから反射された戻り光の光路を分離してベース９５に構成する必要がないので、光学ブロックの構成を小型化でき、装置自体の小型化が可能となる。
【０２００】
また、発光受光複合素子１１１を構成する半導体レーザ素子１１３から出射された光ビームＬs は、ベース９５面と平行に進行するので、光ピックアップ装置の薄型化が可能となる。
【０２０１】
さらに、発光受光複合素子１１１は、対物レンズ２１の斜め側方に位置である対物レンズ２１の光軸回りに略４５度傾けた位置に配置されてなることから、光ピックアップ装置の対物レンズ２１がその光軸に直交する平面方向に移動するトラッキング方向の幅を小さくすることができる。
【０２０２】
【発明の効果】
本発明に係る対物レンズ駆動装置は、平板状のフォーカシングコイルとトラッキングコイルを設けた平板状の部材を、可動部を構成するボビン若しくは固定側に固定基板に取付けるだけで、フォーカシングコイルとトラッキングコイルを磁気回路部を構成するマグネットに対向配置させることができ、コイルの取付け作業が極めて容易となる。
【０２０３】
特に、フォーカシングコイル及びトラッキングコイルを構成するコイル部の制御回路部への電気的な接続を、線状のコイル端末の接続を行うことなくコイル取付け基板を介して行うことができるので、自動組立て装置による自動組立てが極めて容易となり、量産化を容易に実現することができる。
【０２０４】
また、平板状に形成されたコイル部からなるフォーカシングコイルとトラッキングコイルとを設けた平板状の部材であるコイル取付け基板は、ボビンに精度良く取付けることができるので、ボビンを含む可動部の重心のバラツキの発生を抑えることができ、フォーカスエラー信号又はトラッキングエラー信号に正確に追随して対物レンズの駆動変位を可能となす対物レンズ駆動装置を提供することができる。
【０２０５】
さらに、平板状に形成されたフォーカシングコイルと平板状のトラッキングコイルとがそれぞれ面対称に積層されて配設された平板状の部材は、フォーカシングコイルが発生する駆動力とトラッキングコイルが発生する駆動力とが、平板状の部材の重心にそれぞれ一致して作用する。このため、この平板状の部材は、対物レンズを移動動作させる際、安定した対物レンズの駆動変位を実現することができる。
【０２０６】
さらにまた、マグネットの中央部に対応して相対向する一対の立上り部に磁気抵抗部がそれぞれ設けられたヨークは、マグネットの中央部の磁気抵抗が大きくされている。したがって、このヨークは、マグネットが発生する磁束密度の均一化を図っている。このため、このヨークを備える磁気回路部は、対物レンズを移動動作させる際、共振の発生や動作感度の変化等の不都合が低減されて、安定した対物レンズの駆動変位を実現することができる。
【０２０７】
さらにまた、フォーカシングコイル内にヨークの一部が介在されることもないので、フォーカシングコイルの自己インダクタンスを大きくすることもないので、電力の省電力化を実現し、対物レンズ駆動時の発熱を抑え、対物レンズを介して光ディスクに照射される光ビームを出射する光源を構成する半導体レーザの安定した動作を保証し、良好な特性をもって情報信号の記録及び／又は再生を可能となす光ピックアップ装置を構成することが可能となる。
【０２０８】
さらにまた、平板状に形成されたコイル部からなるフォーカシングコイルとトラッキングコイルは、磁気回路部の磁束と共働して駆動力を発生させるために利用できる部分を増加させることができるので、対物レンズを駆動変位するための電力の省電力化を実現し、対物レンズ駆動時の発熱を抑え、対物レンズを介して光ディスクに照射される光ビームを出射する光源を構成する半導体レーザの安定した動作を保証し、良好な特性をもって情報信号の記録及び／又は再生を可能となす光ピックアップ装置を構成することが可能となる。
【図面の簡単な説明】
【図１】本発明に係るコイル可動型の対物レンズ駆動装置を示す斜視図である。
【図２】図１に示す対物レンズ駆動装置の分解斜視図である。
【図３】本発明に係る対物レンズ駆動装置を構成するフォーカシングコイルとマグネットとの配置構成を示す正面図である。
【図４】本発明に係る対物レンズ駆動装置を構成するトラッキングコイルとマグネットとの配置構成を示す正面図である。
【図５】フォーカシングコイル及びトラッキングコイルが設けられたコイル取付け基板と磁気回路部を示す側面図である。
【図６】本発明に係る対物レンズ駆動装置を構成する磁気回路部の他の例を示す斜視図である。
【図７】図６に示す磁気回路部とフォーカシングコイルとの配置の関係を示す正面図である。
【図８】図６に示す磁気回路部とトラッキングコイルとの配置の関係を示す正面図である。
【図９】図６に示す磁気回路部とコイル取付け基板との配置の関係を示す側面図である。
【図１０】本発明に係る対物レンズ駆動装置を構成する他の磁気回路部とコイル取付け基板の配置の関係を示す側面図である。
【図１１】本発明に係る対物レンズ駆動装置を構成する他の磁気回路部とコイル取付け基板の配置の関係を示す平面図である。
【図１２】図１０及び図１１に示す磁気回路部とコイル取付け基板に設けられたフォーカシングコイルとの配置の関係を示す正面図である。
【図１３】図１０及び図１１に示す磁気回路部とコイル取付け基板に設けられたトラッキングコイルとの配置の関係を示す正面図である。
【図１４】２極着磁されたマグネットを用いた磁気回路部とコイル取付け基板との配置の関係を示す側面図である。
【図１５】２極着磁されたマグネットを用いた磁気回路部とフォーカシングコイルとの配置の関係を示す正面図である。
【図１６】２極着磁されたマグネットを用いた磁気回路部とトラッキングコイルとの配置の関係を示す正面図である。
【図１７】単極着磁されたマグネットを複数用いた磁気回路部とコイル取付け基板との配置の関係を示す側面図である。
【図１８】単極着磁されたマグネットを複数用いた磁気回路部とフォーカシングコイルとの配置の関係を示す正面図である。
【図１９】単極着磁されたマグネットを複数用いた磁気回路部とトラッキングコイルとの配置の関係を示す正面図である。
【図２０】磁気回路部とフォーカシングコイル及びトラッキングコイルとの配置構成を示す平面図である。
【図２１】磁気回路部とフォーカシングコイル及びトラッキングコイルとの配置構成を示す断面図である。
【図２２】フォーカシングコイルとトラッキングコイルとの配置構成を説明するために示す模式図である。
【図２３】フォーカシングコイルとトラッキングコイルとの配置の関係を説明するために示す断面模式図である。
【図２４】磁気回路部とフォーカシングコイル及びトラッキングコイルとの配置の関係を示す側面図である。
【図２５】磁気回路部とフォーカシングコイル及びトラッキングコイルとの配置の関係を示す側面図である。
【図２６】磁気回路部とフォーカシングコイル及びトラッキングコイルとの配置の関係を示す側面図である。
【図２７】磁気回路部とフォーカシングコイル及びトラッキングコイルとの配置の関係を示す側面図である。
【図２８】磁気回路部のマグネットが発生する磁界エネルギの分布を説明するために示す平面模式図である。
【図２９】磁気回路部のマグネットが発生する磁界エネルギの分布を説明するために示す側面模式図である。
【図３０】磁気回路部のヨークを示す平面図である。
【図３１】磁気回路部のヨークを示す側面図である。
【図３２】磁気回路部のヨークを示す正面図である。
【図３３】磁気回路部のヨークを示す平面図である。
【図３４】磁気回路部のヨークを示す側面図である。
【図３５】磁気回路部のヨークを示す正面図である。
【図３６】２極着磁されたマグネットを複数用いた磁気回路部のヨークを示す平面図である。
【図３７】２極着磁されたマグネットを複数用いた磁気回路部のヨークを示す側面図である。
【図３８】２極着磁されたマグネットを複数用いた磁気回路部のヨークを示す正面図である。
【図３９】本発明に係る対物レンズ駆動装置を構成するコイル取付け基板の他の例を示す正面図である。
【図４０】本発明に係る対物レンズ駆動装置を構成するコイル取付け基板のさらに他の例とこのコイル取付け基板に用いられる弾性支持部材を示す正面図である。
【図４１】図４０に示すコイル取付け基板に用いられる弾性支持部材を示す側面図である。
【図４２】図３９に示すコイル取付け基板に設けられた弾性支持部材が嵌合される嵌合凹部を示す平面図である。
【図４３】図４０に示すコイル取付け基板に設けられた弾性支持部材が嵌合される嵌合凹部を示す側面図である。
【図４４】フォーカシングコイル及びトラッキングコイルの導通をフレキシブルプリント配線基板を用いた対物レンズ駆動装置を示す斜視図である。
【図４５】本発明に係る対物レンズ駆動装置を構成するボビンの他の例を示す斜視図である。
【図４６】弾性支持部材でボビンを直接支持した例を示す対物レンズ駆動装置の斜視図である。
【図４７】マグネット可動型の対物レンズ駆動装置を示す組立て斜視図である。
【図４８】マグネット可動型の対物レンズ駆動装置を示す斜視図である。
【図４９】マグネット可動型の対物レンズ駆動装置の側断面図である。
【図５０】フォーカシングコイル及びトラッキングコイルへの給電をフレキシブルプリント配線基板を用いて行うコイル取付け基板の斜視図である。
【図５１】フレキシブルプリント配線を接続したコイル取付け基板の取付け状態を示す側面図である。
【図５２】コイル可動型の対物駆動装置を用いて構成した本発明に係る光ピックアップ装置を示す斜視図である。
【図５３】図５２に示す光ピックアップ装置に用いられる発光受光複合素子を示す斜視図である。
【図５４】発光受光複合素子と反射ミラーの配置構成を示す側面図である。
【図５５】発光受光複合素子と対物レンズ駆動装置に設けられた対物レンズの配置構成を示す平面図である。
【図５６】本発明に係る光ピックアップ装置の他の例を示す斜視図である。
【図５７】ホログラムを用いた発光受光複合素子と反射ミラーの配置構成を示す斜視図である。
【図５８】ホログラムを用いた発光受光複合素子の光ディスクからの戻り光の検出状態を示す斜視図である。
【図５９】従来の対物レンズ駆動装置を示す斜視図である。
【図６０】従来の対物レンズ駆動装置の分解斜視図である。
【図６１】従来の対物レンズ駆動装置の他の例を示す斜視図である。
【図６２】従来の対物レンズ駆動装置におけるフォーカシングコイル及びトラッキングコイルと磁気回路部との配置構成を示す平面図である。
【図６３】従来の対物レンズ駆動装置におけるフォーカシングコイル及びトラッキングコイルと磁気回路部との配置構成を示す断面図である。
【図６４】従来の対物レンズ駆動装置におけるフォーカシングコイルと磁気回路部の磁束の状態を示す平面図である。
【図６５】従来の対物レンズ駆動装置におけるトラッキングコイルとマグネットとの対向状態を示す正面図である。
【図６６】従来の対物レンズ駆動装置におけるトラッキングコイルとマグネットとの対向状態を示す側面図である。
【符号の説明】
２０  対物レンズ駆動装置
２１  対物レンズ
２２  ボビン
２３  ボビンに設けた開口部
２７  コイル取付け板挿入溝
２８  コイル取付け板
３１  フォーカシングコイル
３４  トラッキングコイル
３５  弾性支持部材
３６  磁気回路部
３７  ヨーク
３９  支持ホルダ
４５，４６  ヨークを構成する立上り片
４７，４８  マグネット
９３  ガイド軸挿通部
９４  ガイド係合部
９５  光ピックアップ装置を構成するベース
９６  発光受光複合素子
【図１】
0003834831.tif 000002
【図２】
0003834831.tif 000003
【図３】
0003834831.tif 000004
【図４】
0003834831.tif 000005
【図５】
0003834831.tif 000006
【図６】
0003834831.tif 000007
【図７】
0003834831.tif 000008
【図８】
0003834831.tif 000009
【図９】
0003834831.tif 000010
【図１０】
0003834831.tif 000011
【図１１】
0003834831.tif 000012
【図１２】
0003834831.tif 000013
【図１３】
0003834831.tif 000014
【図１４】
0003834831.tif 000015
【図１５】
0003834831.tif 000016
【図１６】
0003834831.tif 000017
【図１７】
0003834831.tif 000018
【図１８】
0003834831.tif 000019
【図１９】
0003834831.tif 000020
【図２０】
0003834831.tif 000021
【図２１】
0003834831.tif 000022
【図２２】
0003834831.tif 000023
【図２３】
0003834831.tif 000024
【図２４】
0003834831.tif 000025
【図２５】
0003834831.tif 000026
【図２６】
0003834831.tif 000027
【図２７】
0003834831.tif 000028
【図２８】
0003834831.tif 000029
【図２９】
0003834831.tif 000030
【図３０】
0003834831.tif 000031
【図３１】
0003834831.tif 000032
【図３２】
0003834831.tif 000033
【図３３】
0003834831.tif 000034
【図３４】
0003834831.tif 000035
【図３５】
0003834831.tif 000036
【図３６】
0003834831.tif 000037
【図３７】
0003834831.tif 000038
【図３８】
0003834831.tif 000039
【図３９】
0003834831.tif 000040
【図４０】
0003834831.tif 000041
【図４１】
0003834831.tif 000042
【図４２】
0003834831.tif 000043
【図４３】
0003834831.tif 000044
【図４４】
0003834831.tif 000045
【図４５】
0003834831.tif 000046
【図４６】
0003834831.tif 000047
【図４７】
0003834831.tif 000048
【図４８】
0003834831.tif 000049
【図４９】
0003834831.tif 000050
【図５０】
0003834831.tif 000051
【図５１】
0003834831.tif 000052
【図５２】
0003834831.tif 000053
【図５３】
0003834831.tif 000054
【図５４】
0003834831.tif 000055
【図５５】
0003834831.tif 000056
【図５６】
0003834831.tif 000057
【図５７】
0003834831.tif 000058
【図５８】
0003834831.tif 000059
【図５９】
0003834831.tif 000060
【図６０】
0003834831.tif 000061
【図６１】
0003834831.tif 000062
【図６２】
0003834831.tif 000063
【図６３】
0003834831.tif 000064
【図６４】
0003834831.tif 000065
【図６５】
0003834831.tif 000066
【図６６】
0003834831.tif 000067